(57)【特許請求の範囲】
【請求項１】
デバイスが１つまたは複数の伝送点（ＴＰ）と通信するための方法であって、前記方法は、
複数の基準信号を受信することと、
前記複数の基準信号に対して複数の測定を実施することと、
前記複数の測定に基づいて、前記複数の基準信号から、閾値を上回る測定結果を伴う1つの基準信号を選択することであって、前記閾値は、ハンドオーバプロシージャ中に受信される、ことと、
システム情報を含む信号を受信することであって、前記システム情報は、許可されたランダムアクセスリソースのセットと前記１つの基準信号との間のマッピングを示す構成を含む、ことと、
ランダムアクセス信号を前記１つまたは複数のＴＰのうちの少なくとも１つに伝送するために、前記マッピングに基づいて、前記許可されたランダムアクセスリソースのセットからランダムアクセスリソースを選択することと
を含む、方法。
【請求項２】
前記システム情報は、第１のシステム情報および第２のシステム情報のどちらかであり、各々は、許可されたランダムアクセスリソースの異なるセットと前記１つの基準信号との間の異なるマッピングを示す異なる構成を含む、請求項１に記載の方法。
【請求項３】
前記許可されたランダムアクセスリソースの異なるセットは、一部重複する、請求項２に記載の方法。
【請求項４】
前記許可されたランダムアクセスリソースの異なるセットは、散逸される、請求項２に記載の方法。
【請求項５】
前記許可されたランダムアクセスリソースのセットは、前記１つまたは複数のＴＰから前記デバイスに示される、請求項１に記載の方法。
【請求項６】
前記ランダムアクセスリソースを選択することは、前記複数の基準信号の中で最も高い伝送電力を有する前記１つの基準信号と対応するランダムアクセスリソースを選定することを含む、請求項１に記載の方法。
【請求項７】
前記ランダムアクセスリソースを選択することは、前記複数の基準信号の中で最も高い予期されるスペクトル効率を有する前記１つの基準信号と対応するランダムアクセスリソースを選定することを含む、請求項１に記載の方法。
【請求項８】
前記閾値は、ブロードキャストされたシステム情報から受信される、請求項１に記載の方法。
【請求項９】
１つまたは複数の伝送点（ＴＰ）がデバイスと通信するための方法であって、前記方法は、
複数の基準信号を前記デバイスに送信することであって、前記複数の基準信号は、前記デバイスが複数の測定を実施するように構成される、ことと、
システム情報を含む信号を送信することであって、前記システム情報は、許可されたランダムアクセスリソースのセットと前記複数の基準信号からの１つの基準信号との間のマッピングを示す構成を含み、前記１つの基準信号は、前記複数の測定から取得される測定結果を伴い、前記測定結果は、閾値を上回り、前記閾値は、ハンドオーバプロシージャ中に受信される、ことと、
前記マッピングに基づいて前記デバイスによって前記許可されたランダムアクセスリソースのセットから選択されたランダムアクセスリソース上で前記デバイスからランダムアクセス信号を受信することと
を含む、方法。
【請求項１０】
前記システム情報は、第１のシステム情報および第２のシステム情報のどちらかであり、各々は、許可されたランダムアクセスリソースの異なるセットと前記１つの基準信号との間の異なるマッピングを示す異なる構成を含む、請求項９に記載の方法。
【請求項１１】
前記許可されたランダムアクセスリソースの異なるセットは、散逸する、または、一部重複する、請求項１０に記載の方法。
【請求項１２】
前記許可されたランダムアクセスリソースのセットは、前記１つまたは複数のＴＰから前記デバイスに示される、請求項９に記載の方法。
【請求項１３】
伝送点（ＴＰ）であって、前記ＴＰは、送受信機を備え、
前記送受信機は、
複数の基準信号をデバイスに送信することであって、前記複数の基準信号は、前記デバイスが複数の測定を実施するように構成される、ことと、
システム情報を含む信号を送信することであって、前記システム情報は、許可されたランダムアクセスリソースのセットと前記複数の基準信号からの１つの基準信号との間のマッピングを示す構成を含み、前記１つの基準信号は、前記複数の測定から取得される測定結果を伴い、前記測定結果は、閾値を上回り、前記閾値は、ハンドオーバプロシージャ中に伝送される、ことと、
前記マッピングに基づいて前記デバイスによって前記許可されたランダムアクセスリソースのセットから選択されたランダムアクセスリソース上で前記デバイスからランダムアクセス信号を受信することと
を行うように構成される、ＴＰ。
【請求項１４】
前記許可されたランダムアクセスリソースのセットは、前記ＴＰから前記デバイスに示される、請求項１３に記載のＴＰ。
【請求項１５】
デバイスであって、前記デバイスは、
複数の基準信号を受信するように構成される受信機と、
少なくとも１つのプロセッサであって、前記少なくとも１つのプロセッサは、
前記複数の基準信号に対して複数の測定を実施することと、
前記複数の測定に基づいて、前記複数の基準信号から、閾値を上回る測定結果を伴う1つの基準信号を選択することであって、前記閾値は、ハンドオーバプロシージャ中に伝送される、ことと
を行うように構成される、少なくとも１つのプロセッサと
を備え、
前記受信機は、システム情報を含む信号を受信することを行うようにさらに構成され、前記システム情報は、許可されたランダムアクセスリソースのセットと前記１つの基準信号との間のマッピングを示す構成を含み、
前記少なくとも１つのプロセッサは、ランダムアクセス信号を少なくとも１つのＴＰに伝送するために、前記マッピングに基づいて、前記許可されたランダムアクセスリソースのセットからランダムアクセスリソースを選択することを行うようにさらに構成される、デバイス。
【請求項１６】
前記許可されたランダムアクセスリソースのセットは、前記少なくとも１つのＴＰから前記デバイスに示される、請求項１５に記載のデバイス。
【発明の詳細な説明】
【技術分野】
【０００１】
本発明は、概して、セルラー遠隔通信システムに関し、特に、１つまたはそれを上回る基準信号の測定に基づいてランダムアクセスを実施するためのシステムおよび方法に関する。
【背景技術】
【０００２】
多くの無線通信システムでは、ネットワークが、モバイルデバイス（以降ではデバイス）と通信する。ロングタームエボリューション（ＬＴＥ）では、例えば、デバイスは、通常、ユーザ機器（ＵＥ）と呼ばれる。ネットワークは、伝送点（ＴＰ）を通して無線信号を伝送および受信する。伝統的なセルラー無線通信システムでは、異なるＴＰが、多くの場合、異なるセルと関連付けられ、ＴＰは、典型的には、基地局、例えば、マクロまたはピコ基地局のアンテナシステムを指す。いくつかのセルラー無線通信システムでは、いくつかの異なるＴＰが、例えば、ＴＰが基地局に接続される遠隔無線ユニット（ＲＲＵ）であるとき、ＴＰが分散アンテナシステム（ＤＡＳ）を構成するとき、またはいくつかのＴＰがリレーとして作用するとき、同一のセルと関連付けられる。異なるＴＰは、典型的には、共同設置されないが、本表現は、ベースバンド処理等の他の能力が共同設置され得るため、主として、ＴＰアンテナシステムを指す。データは、典型的には、１つの通信搬送波、すなわち、その中で無線信号が伝送される搬送波中心周波数および帯域幅を使用して、ＴＰとＵＥとの間で伝送される。ＴＰは、多くの場合、複数の異なる搬送波上での同時通信をサポートする。そのような場合では、ＴＰが異なる搬送波上の異なるセルと関連付けられることが、自然である。いくつかの無線通信システムでは、デバイスは、ＴＰとして、例えば、リレーとして作用し得る。本役割では、デバイスは、他のデバイスがネットワークにアクセスすることを補助し得る。
【発明の概要】
【課題を解決するための手段】
【０００３】
本発明は、デバイスが１つまたはそれを上回る伝送点（ＴＰ）と通信するための方法を提供することによって、上記および他の必要性に対処する。一実施形態では、本方法は、１つまたはそれを上回る同期信号を受信するステップと、１つまたはそれを上回る同期信号から同期基準を導出するステップと、複数の基準信号を受信するステップと、導出された同期基準に基づいて、複数の基準信号に対して複数の測定を実施するステップと、複数の測定に基づいて、複数のランダムアクセスリソースを選択するステップと、ランダムアクセス信号を１つまたはそれを上回るＴＰのうちの少なくとも１つに伝送するために、複数のランダムアクセスリソースからあるランダムアクセスリソースを選択するステップとを含む。
【０００４】
種々の実施形態によると、本発明は、デバイスが伝送点（ＴＰ）と通信するための別の方法を提供する。本方法は、ＴＰから１つまたはそれを上回る同期信号を受信するステップと、１つまたはそれを上回る同期信号から同期基準を導出するステップと、ＴＰから複数の基準信号を受信するステップと、導出された同期基準に基づいて、複数の基準信号に対して複数の測定を実施するステップと、複数の測定に基づいて、複数のランダムアクセスリソースを選択するステップと、ランダムアクセス信号をＴＰに伝送するために、複数のランダムアクセスリソースからあるランダムアクセスリソースを選択するステップとを含む。
【０００５】
種々の実施形態によると、本発明は、伝送点（ＴＰ）がランダムアクセスリソースの量を調節するための方法を提供する。本方法は、同期信号を１つまたはそれを上回るデバイスに伝送するステップと、１つまたはそれを上回る基準信号を１つまたはそれを上回るデバイスに伝送するステップであって、各基準信号は、ＴＰのランダムアクセスリソースのセットと関連付けられる、ステップと、１つまたはそれを上回るデバイスから１つまたはそれを上回るランダムアクセス信号を受信するステップであって、１つまたはそれを上回るランダムアクセス信号はそれぞれ、ランダムアクセスリソースのセットのうちの少なくとも１つと対応する、ステップと、１つまたはそれを上回るランダムアクセス信号に基づいて、基準信号のうちの少なくとも１つの伝送電力を調節するステップとを含む。
【０００６】
種々の実施形態によると、本発明は、１つまたはそれを上回る伝送点（ＴＰ）と通信するように構成されるデバイスを提供する。本デバイスは、１つまたはそれを上回る同期信号を受信し、１つまたはそれを上回る同期信号から同期基準を導出し、複数の基準信号を受信し、導出された同期基準に基づいて、複数の基準信号に対して複数の測定を実施し、複数の測定に基づいて、複数のランダムアクセスリソースを選択し、ランダムアクセス信号を１つまたはそれを上回るＴＰのうちの少なくとも１つに伝送するために、複数のランダムアクセスリソースからあるランダムアクセスリソースを選択するように構成される、少なくとも１つのプロセッサを含む。
【０００７】
本発明のさらなる特徴および利点、ならびに本発明の種々の実施形態の構造および動作は、付随の図面を参照して以下に詳細に説明される。
本発明は、例えば、以下を提供する。
（項目１）
デバイスが１つまたはそれを上回る伝送点（ＴＰ）と通信するための方法であって、
１つまたはそれを上回る同期信号を受信するステップと、
前記１つまたはそれを上回る同期信号から同期基準を導出するステップと、
複数の基準信号を受信するステップと、
前記導出された同期基準に基づいて、前記複数の基準信号に対して複数の測定を実施するステップと、
前記複数の測定に基づいて、複数のランダムアクセスリソースを選択するステップと、
ランダムアクセス信号を前記１つまたはそれを上回るＴＰのうちの少なくとも１つに伝送するために、前記複数のランダムアクセスリソースからランダムアクセスリソースを選択するステップと
を含む、方法。
（項目２）
前記同期基準は、信号を伝送および／または受信する間の基準として使用され得る、時間における基準パラメータ、周波数における基準パラメータ、コードにおける基準パラメータ、空間における基準パラメータ、電力における基準パラメータ、またはそれらの組み合わせを含む、項目１に記載の方法。
（項目３）
前記１つまたはそれを上回るＴＰに、ランダムアクセス応答信号を伝送するかどうかを判定するように、前記ランダムアクセス信号が前記複数のランダムアクセスリソースのうちの少なくとも１つの上にあるかどうかを検出させるために、前記ランダムアクセス信号を使用するステップと、
前記ランダムアクセス応答信号の受信に応答して、データを前記１つまたはそれを上回るＴＰに伝送するステップと
をさらに含む、項目１に記載の方法。
（項目４）
システム情報を含む１つまたはそれを上回る他の信号を受信するステップをさらに含み、前記システム情報は、前記選択された複数のランダムアクセスリソースの構成を含む、項目１に記載の方法。
（項目５）
前記１つまたはそれを上回るＴＰは、前記１つまたはそれを上回る同期信号が前記同期基準を共有するように、相互に同期される、項目１に記載の方法。
（項目６）
前記１つまたはそれを上回るＴＰは、多地点協調（ＣｏＭＰ）セットを構成する、項目１に記載の方法。
（項目７）
前記１つまたはそれを上回るＴＰは、単一マルチアンテナＴＰ内の複数のアンテナに対応する、項目１に記載の方法。
（項目８）
前記複数の基準信号はそれぞれ、前記マルチアンテナＴＰによって形成されるビームに沿って受信される、項目７に記載の方法。
（項目９）
前記１つまたはそれを上回る同期信号は、前記１つまたはそれを上回るＴＰのうちの少なくとも１つのプライマリ同期信号（ＰＳＳ）、セカンダリ同期信号（ＳＳＳ）、および／またはセル特有基準信号（ＣＲＳ）を含む、項目１に記載の方法。
（項目１０）
前記複数の基準信号に対して複数の測定を実施するステップは、前記複数の基準信号の伝送電力を測定するステップを含む、項目１に記載の方法。
（項目１１）
前記複数のランダムアクセスリソースからランダムアクセスリソースを選択するステップは、前記複数の基準信号間で最も高い伝送電力を有する１つの基準信号と対応するランダムアクセスリソースを選定するステップを含む、項目１０に記載の方法。
（項目１２）
前記複数の基準信号に対して複数の測定を実施するステップは、前記複数の基準信号の予期されるスペクトル効率を測定するステップを含む、項目１に記載の方法。
（項目１３）
前記複数のランダムアクセスリソースからランダムアクセスリソースを選択するステップは、前記複数の基準信号間で最も高い予期されるスペクトル効率を有する１つの基準信号と対応するランダムアクセスリソースを選定するステップを含む、項目１２に記載の方法。
（項目１４）
前記複数のランダムアクセスリソースは、時間および周波数ドメインにおけるリソースブロック（ＲＢ）のセットならびに／または許可されたランダムアクセスプリアンブルのセットによって定義される許可されたランダムアクセスリソースのセットを含む、項目１に記載の方法。
（項目１５）
デバイスが伝送点（ＴＰ）と通信するための方法であって、
前記ＴＰから１つまたはそれを上回る同期信号を受信するステップと、
前記１つまたはそれを上回る同期信号から同期基準を導出するステップと、
前記ＴＰから複数の基準信号を受信するステップと、
前記導出された同期基準に基づいて、前記複数の基準信号に対して複数の測定を実施するステップと、
前記複数の測定に基づいて、複数のランダムアクセスリソースを選択するステップと、
ランダムアクセス信号を前記ＴＰに伝送するために、前記複数のランダムアクセスリソースからランダムアクセスリソースを選択するステップと
を含む、方法。
（項目１６）
前記同期基準は、信号を伝送および／または受信する間の基準として使用され得る、時間における基準パラメータ、周波数における基準パラメータ、コードにおける基準パラメータ、空間における基準パラメータ、電力における基準パラメータ、またはそれらの組み合わせを含む、項目１５に記載の方法。
（項目１７）
前記ＴＰに、ランダムアクセス応答信号を伝送するかどうかを判定するように、前記ランダムアクセス信号が前記複数のランダムアクセスリソースのうちの少なくとも１つの上にあるかどうかを検出させるために、前記ランダムアクセス信号を伝送するために選択されたランダムアクセスリソースを使用するステップと、
前記ランダムアクセス応答信号の受信に応答して、データを前記ＴＰに伝送するステップと
をさらに含む、項目１５に記載の方法。
（項目１８）
前記ＴＰは、複数のアンテナを含み、各アンテナは、ビーム形成を伝送および受信することが可能である、項目１５に記載の方法。
（項目１９）
前記複数の基準信号に対して複数の測定を実施するステップは、前記複数の基準信号の伝送電力を測定するステップを含む、項目１５に記載の方法。
（項目２０）
前記複数のランダムアクセスリソースからランダムアクセスリソースを選択するステップは、前記複数の基準信号間で最も高い伝送電力を有する１つの基準信号と対応するランダムアクセスリソースを選定するステップを含む、項目１９に記載の方法。
（項目２１）
前記複数の基準信号に対して複数の測定を実施するステップは、前記複数の基準信号の予期されるスペクトル効率を測定するステップを含む、項目１５に記載の方法。
（項目２２）
前記複数のランダムアクセスリソースからランダムアクセスリソースを選択するステップは、前記複数の基準信号間で最も高い予期されるスペクトル効率を有する１つの基準信号と対応するランダムアクセスリソースを選定するステップを含む、項目２１に記載の方法。
（項目２３）
前記複数のランダムアクセスリソースは、時間および周波数ドメインにおけるリソースブロック（ＲＢ）のセットならびに／または許可されたランダムアクセスプリアンブルのセットによって定義される許可されたランダムアクセスリソースのセットを含む、項目１５に記載の方法。
（項目２４）
伝送点（ＴＰ）がランダムアクセスリソースの量を調節するための方法であって、
同期信号を１つまたはそれを上回るデバイスに伝送するステップと、
１つまたはそれを上回る基準信号を前記１つまたはそれを上回るデバイスに伝送するステップであって、各基準信号は、前記ＴＰのランダムアクセスリソースのセットと関連付けられる、ステップと、
前記１つまたはそれを上回るデバイスから１つまたはそれを上回るランダムアクセス信号を受信するステップであって、前記１つまたはそれを上回るランダムアクセス信号はそれぞれ、前記ランダムアクセスリソースのセットのうちの少なくとも１つと対応する、ステップと、
前記１つまたはそれを上回るランダムアクセス信号に基づいて、前記基準信号のうちの少なくとも１つの伝送電力を調節するステップと
を含む、方法。
（項目２５）
前記基準信号のうちの少なくとも１つの伝送電力を調節するステップは、前記基準信号のうちの少なくとも１つの伝送を選択的に中止するステップを含む、項目２４に記載の方法。
（項目２６）
１つまたはそれを上回る伝送点（ＴＰ）と通信するように構成されるデバイスであって、
少なくとも１つのプロセッサを備え、
前記少なくとも１つのプロセッサは、
１つまたはそれを上回る同期信号を受信することと、
前記１つまたはそれを上回る同期信号から同期基準を導出することと、
複数の基準信号を受信することと、
前記導出された同期基準に基づいて、前記複数の基準信号に対して複数の測定を実施することと、
前記複数の測定に基づいて、複数のランダムアクセスリソースを選択することと、
ランダムアクセス信号を前記１つまたはそれを上回るＴＰのうちの少なくとも１つに伝送するために、前記複数のランダムアクセスリソースからランダムアクセスリソースを選択することと、
を行うように構成される、デバイス。
（項目２７）
前記同期基準は、信号を伝送および／または受信する間の基準として使用され得る、時間における基準パラメータ、周波数における基準パラメータ、コードにおける基準パラメータ、空間における基準パラメータ、電力における基準パラメータ、またはそれらの組み合わせを含む、項目２６に記載のデバイス。
（項目２８）
前記少なくとも１つのプロセッサは、
前記１つまたはそれを上回るＴＰに、ランダムアクセス応答信号を伝送するかどうかを判定するように、前記ランダムアクセス信号が複数のランダムアクセスリソースのうちの少なくとも１つの上にあるかどうかを検出させるために、前記ランダムアクセス信号を伝送するために選択されたランダムアクセスリソースを使用することと、
前記ランダムアクセス応答信号の受信に応答して、データを前記１つまたはそれを上回るＴＰに伝送することと
を行うように構成される、項目２６に記載のデバイス。
（項目２９）
前記少なくとも１つのプロセッサは、システム情報を含む１つまたはそれを上回る他の信号を受信するように構成され、前記システム情報は、前記選択された複数のランダムアクセスリソースについての構成情報を含む、項目２６に記載のデバイス。
（項目３０）
前記１つまたはそれを上回るＴＰは、前記１つまたはそれを上回る同期信号が前記同期基準を共有するように、相互に同期される、項目２６に記載のデバイス。
（項目３１）
前記１つまたはそれを上回るＴＰは、多地点協調（ＣｏＭＰ）セットを構成する、項目２６に記載のデバイス。
（項目３２）
前記１つまたはそれを上回るＴＰは、単一マルチアンテナＴＰ内の複数のアンテナに対応する、項目２６に記載のデバイス。
（項目３３）
前記複数の基準信号はそれぞれ、複数のアンテナを含むＴＰによって形成されるビームに沿って受信される、項目２６に記載のデバイス。
【図面の簡単な説明】
【０００８】
本発明は、１つまたはそれを上回る種々の実施形態に従って、以下の図を参照して詳細に説明される。図面は、図示のみを目的として提供され、単に、本発明の例示的実施形態を描写する。これらの図面は、読者の本発明の理解を促進するために提供され、本発明の範疇、範囲、または可用性の限定と見なされるべきではない。図示を明確および容易にするために、これらの図面は、必ずしも、縮尺通りに作られていはいないことに留意されたい。
【０００９】
【図１】図１は、本発明の一実施形態による、デバイスがネットワークにアクセスするためのプロシージャのフローチャートを図示する。
【００１０】
【図２】図２は、本発明の一実施形態による、図１のプロシージャの一部をより詳細に図示する。
【００１１】
【図３】図３は、本発明の別の実施形態による、図１のプロシージャの一部をより詳細に図示する。
【００１２】
【図４】図４は、本発明の一実施形態による、周期的バースト信号の実施例を図示する。
【００１３】
【図５】図５は、本発明の一実施形態による、１つまたはそれを上回る同期信号および複数の測定ＲＳを含む、バースト信号の実施例を図示する。
【００１４】
【図６】図６は、本発明の一実施形態による、許可されたランダムアクセスリソースの４つのセットの２つの実施例を図示する。
【００１５】
【図７】図７は、本発明の一実施形態による、ランダムアクセスマッピングの実施例を図示する。
【００１６】
【図８】図８は、本発明の一実施形態による、デバイスが複数の同期されたＴＰを含む地理的エリア内にある実施例を図示する。
【００１７】
【図９】図９は、本発明の一実施形態による、それぞれ、適応ランダムアクセスリソースを提供する２つの例示的ＴＰを図示する。
【００１８】
【図１０】図１０は、本発明の一実施形態による、それぞれ、図９の２つのＴＰの許可されたランダムアクセスリソースの例示的セットを図示する。
【００１９】
【図１１】図１１は、本発明の一実施形態による、１つまたはそれを上回るビーム形成機能を通して複数の測定ＲＳを伝送する、例示的ＴＰを図示する。
【発明を実施するための形態】
【００２０】
本アプローチは、同様の参照記号が類似する要素を示す、付随の図面の図において、限定としてではなく、実施例として例証される。本開示における「ある」または「１つの」もしくは「いくつかの」実施形態の言及は、必ずしも、同一の実施形態に成されず、そのような言及は、少なくとも１つを意味することに留意されたい。
【００２１】
以下の例示的実施形態の説明では、本明細書の一部を形成し、本発明が実践され得る具体的実施形態の図示として示される、付随の図面を参照する。他の実施形態も、利用され得、構造的変更が、本発明の好ましい実施形態の範囲から逸脱することなく、成され得ることを理解されたい。
【００２２】
ＬＴＥおよび／またはユニバーサルモバイル遠隔通信システム（ＵＭＴＳ）等の無線通信システムにおいて、いくつかの実施形態では、デバイスがネットワークに最初にアクセスするとき、デバイスは、以下に説明されるプロシージャに従う。ＬＴＥおよびＵＭＴＳが、丸括弧内で以下に実施例として使用される。最初に、デバイスがネットワークにアクセスするためのプロシージャ（例えば、ランダムアクセス）が、図１のフローチャート１００として説明される。プロシージャの説明に続いて、プロシージャにおいて使用される種々の用語（例えば、同期、測定、およびシステム情報）が、さらに詳細に議論される。続けて、ランダムアクセスが、議論される。
【００２３】
ここで図１を参照すると、プロシージャ１００は、動作１０２において開始し、デバイスは、例えば、時間、周波数、コード、空間、および／または他のドメインにおける１つもしくはそれを上回る同期信号に関して検索する。いくつかの実施形態では、１つまたはそれを上回る同期信号は、１つもしくはそれを上回るＴＰによって伝送され得、これは、以下でさらに詳細に議論されるであろう。ＬＴＥでは、例えば、ＵＥは、最初に、プライマリ同期信号（ＰＳＳ）およびセカンダリ同期信号（ＳＳＳ）に関して検索する。いくつかのＬＴＥ  ＵＥ実施形態では、ＵＥはまた、同期信号のセット内にセル特有基準信号（ＣＲＳ）を含む。いくつかの実施形態では、デバイスは、最初に、同期信号であり得る、１つまたはそれを上回るシステムシグネチャインデックス（ＳＳＩ）に関して検索し得る。
【００２４】
プロシージャ１００は、動作１０４に進み、デバイスは、１つまたはそれを上回る同期信号を検出する。より具体的には、検出プロシージャの一部として、デバイスは、同期信号の受信電力または信号品質を推定し得る。そのような推定値は、検出決定においてデバイスを補助し得る。いくつかの実施形態では、デバイスは、１つまたはそれを上回る検出された同期信号の他の性質、例えば、同期信号のために使用されるシーケンスもしくは複数の同期信号のために使用されるシーケンスの組み合わせを推定、検出、もしくは判定し得る。そのような性質は、検出プロシージャにおいて使用され得る、または検出プロシージャの出力であり得る。ＬＴＥ実施形態では、例えば、ＵＥは、ＰＳＳおよびＳＳＳのために使用されるシーケンスの組み合わせを判定し得、これは、検出されたＰＳＳ／ＳＳＳを使用するセルの物理セル識別（ＰＣＩ）を表す。ＳＳＩを含む同期信号の実施例において、いくつかの実施形態では、デバイスは、動作１０４においてＳＳＩのインデックスを判定し得る。
【００２５】
いくつかの実施形態では、同期信号において、より具体的には、１つまたはそれを上回る検出された同期信号が、デバイスに、以降では「同期基準」と表される、時間における基準、周波数における基準、コードにおける基準、空間における基準、電力における基準、他の次元における基準、またはそれらの組み合わせを提供する。いくつかの実施形態では、そのような同期基準は、基準信号に対して１つまたはそれを上回る測定を実施するために後で使用され得る基準パラメータを含み得る（例えば、以下に説明されるであろう測定ＲＳ）。いくつかの実施形態では、同期基準はまた、（以下に説明されるであろう）ランダムアクセス信号を伝送する、および／またはランダムアクセス応答信号を受信する間の基準として使用される。同期基準は、いくつかの場合では、大まかであり、例えば、高性能（例えば、低デコードエラー率）を伴う高速（例えば、低冗長）データ受信のために十分に正確ではない場合がある。同期基準は、他の場合では、細かく、例えば、高性能を伴う高速データレートデータ受信のために十分であり得る。ＬＴＥでは、例えば、ＰＳＳ／ＳＳＳのみに基づく同期が、大まかであると見なされ得る。一方、ＣＲＳが同期を精緻化するために使用される場合、同期基準は、細かくあり得る。しかしながら、同期正確度は、概して、バイナリ（例えば、大まかまたは細かい）概念ではなく、むしろ、完全に不正確なものから理想的なものまで連続的であることに留意されたい。また、同期正確度の要求されるレベルは、通信スキーム、例えば、使用される信号波形に依存することに留意されたい。いくつかの実施形態では、１つまたはそれを上回る検出された同期信号が、同期基準を取得するために使用される。いくつかの実施形態では、複数の同期信号が、複数の同期基準を取得するために使用される。（ＬＴＥまたは他の実施形態では、例えば、ＰＳＳ、ＳＳＳ、およびＣＲＳの１つのセットが、同期基準を取得するために使用され得、ＰＳＳ、ＳＳＳ、およびＣＲＳの別のセットが、別の同期基準を取得するために使用され得る。）いくつかの実施形態では、異なるＳＳＩが、異なる同期基準を取得するために使用され得る。
【００２６】
プロシージャ１００は、動作１０６に進み、デバイスは、同期基準に基づいて、複数の測定ＲＳに対して複数の測定を実施する。測定はそれぞれ、ここでは測定ＲＳと呼ばれる、基準信号（ＲＳ）に対して実施される。いくつかの場合では、測定ＲＳはまた、同期信号の一部である一方、他の場合では、そうではない。測定ＲＳの時間、周波数、コード、および／または空間性質が、同期基準から導出される。いくつかの実施形態では、デバイスは、既知のオフセットを同期基準のタイミングに追加することによって、測定ＲＳの時間場所を導出し得る。デバイスが複数の同期基準を取得した場合、これは、同期基準毎に複数の測定ＲＳに対して複数の測定を実施し得る。いくつかの実施形態では、デバイスは、測定ＲＳ毎に測定を実施する。いくつかの実施形態では、デバイスは、複数の測定ＲＳを使用して測定を実施する。さらに、測定からの出力は、１つまたはそれを上回る測定結果である。同期信号がＳＳＩを含む実施例を継続すると、いくつかの実施形態では、デバイスは、複数のＳＳＩを検出し、複数のＳＳＩに対して複数の測定を実施し得る。ＳＳＩに対する測定は、ＳＳＩによって提供される同期基準に基づき得る。いくつかの実施形態では、デバイスは、動作１０６後に測定を連続的に実施し得る。例えば、デバイスは、動作１０８、１１０、および１１２を通して、ならびに／または動作１１４、１１６、１１８、および１２０を通して、測定を実施し続け得る。動作１０８−１２０の詳細が、以下にさらに詳細に議論されるであろう。
【００２７】
「測定」が、測定結果をもたらす（すなわち、生じさせる）。測定結果は、測定自体の外側で使用される。一実施例では、これは、別のノードに送信される。ＬＴＥでは、例えば、ＵＥが、基準信号受信電力（ＲＳＲＰ）測定値をサービングｅＮｏｄｅＢに送信する。別の実施例では、測定結果は、評価され、測定結果がある基準を満たす場合、措置が、講じられ、例えば、これは、いくつかの実施形態では、別のノードに送信される。ＬＴＥでは、例えば、ＵＥが、ＲＳＲＰ測定結果がある閾値を超えるかどうかを評価する。その場合、これは、いくつかの実施形態では、サービングｅＮｏｄｅＢに送信される。いくつかの実施形態では、複数の測定結果が、比較され、比較の結果として、措置が、講じられる。ＬＴＥでは、例えば、ＵＥが、サービングセルに関するＲＳＲＰ測定値を、近傍セルに対する別のＲＳＲＰ測定値と比較する。近傍セルＲＳＲＰが、サービングセルＲＳＲＰと比較して十分に高い場合、近傍セルＲＳＲＰは、種々の実施形態に従ってサービングセルに送信される。
【００２８】
測定は、信号の複数のインスタンスを使用し、例えば、測定結果を取得するために平均化を実施し得、複数のインスタンスは、例えば、時間、周波数、またはコードによって分離されることができる。測定はまた、成果が測定結果である限り、異なる種類の信号を使用して行われることができる。いくつかの実施形態では、測定は、異なるアンテナまたはアンテナポートに対応する異なる信号を使用して行われることができ、測定結果は、マルチアンテナ伝送または仮定されたマルチアンテナ伝送に対応する。いくつかの実施形態では、繰り返し、例えば、周期的に伝送される信号が、連続的に測定／監視される。そのような場合では、以前の測定結果を新しい測定結果の算出に含めることが、一般的である。さらに、新しい測定結果は、新しい測定の出力として見られることができる。いくつかのＬＴＥ実施形態では、例えば、ＣＲＳが、周期的に伝送される。ＣＲＳベースのＲＳＲＰを連続的に監視するＵＥは、新しいＲＳＲＰが部分的に以前に取得されたＲＳＲＰに基づくにもかかわらず、種々の実施形態では、各ＣＲＳ伝送後に新しい測定結果を取得し得る。
【００２９】
いくつかの実施形態では、測定自体の外側で使用されない、例えば、平均化プロセス内の中間測定値は、個々の測定結果と見なされない。その結果、そのような中間測定値をもたらす措置のセットは、そのような実施形態では、個々の測定と見なされない。しかしながら、いくつかの実施形態では、異なる測定が、個々の測定結果を出力する場合、複数の測定が、同一の信号に対して実施されることができる。ＬＴＥでは、例えば、複数の異なる測定結果が、同一のＣＲＳ、例えば、ＲＳＲＰ、ＲＳＲＱ、または周波数オフセットから取得されることができる。
【００３０】
再び図１を参照すると、プロシージャ１００は、動作１０８に進み、デバイスは、種々の実施形態に従って、１つまたはそれを上回るＴＰから、同期基準に基づいて、システム情報を含有する１つまたはそれを上回る信号を受信する。ＬＴＥの実施例では、ＵＥは、セルの同期基準を使用して、物理ブロードキャストチャネル（ＰＢＣＨ）および物理ダウンリンク共有チャネル（ＰＤＳＣＨ）の両方を経由してシステム情報を受信する。動作１０８においてより具体的には、デバイスが、上記（動作１０６）に説明されるように、複数の同期基準を取得し、続けて、複数の対応する測定結果を取得した場合、デバイスは、システム情報の１つまたはそれを上回る別個の断片を受信するために、それらの同期基準のうちの１つもしくはそれを上回るものを使用し得る。ＬＴＥの同一の実施例では、ＵＥは、別個の同期基準、すなわち、異なるタイミング、搬送波周波数、セル識別等を伴う複数のセルを検出し得る。次いで、ＵＥは、例えば、動作１０６からの測定結果に基づいて、それらのセルのうちの１つまたはそれを上回るものを選定し、それからシステム情報を受信し得る。いくつかの実施形態では、上記に説明されるＳＳＩ実施例を継続すると、デバイスは、同期基準に基づいて、共通アクセス情報テーブル（Ｃ−ＡＩＴ）を含み得る、システム情報を含有する１つまたはそれを上回る信号を受信し得る。次いで、これは、例えば、動作１０６からの測定結果に基づいて、テーブル内の（典型的には、システム情報を含有する）エントリを選定し得る。例えば、最も高い測定されたＲＳＲＰを伴うＳＳＩのインデックスが、エントリを選択するために使用され得る。
【００３１】
いくつかの実施形態では、プロシージャ１００は、随意の動作１１０に進み、デバイスは、システム情報が、チャネルコーディング（例えば、順方向誤り訂正（ＦＥＣ））を用いてエンコードされている場合、システム情報を取得するために、受信された信号をデコードする。より具体的には、いくつかの実施形態では、デバイスが、複数の同期基準に基づいて、システム情報の複数の断片を受信する場合、デバイスは、システム情報の複数の断片を別個にデコードし得る。ＬＴＥの実施例では、ＵＥは、複数の異なるセルからシステム情報をデコードし得る。システム情報は、種々の実施形態による、種々のシステムパラメータおよび構成等を含み得る。システム情報の詳細が、以下の動作１１２においてさらに詳細に説明されるであろう。
【００３２】
プロシージャ１００は、動作１１２に進み、デバイスは、種々の実施形態に従って、システム情報から１つまたはそれを上回るランダムアクセス構成を導出（抽出）する。いくつかの実施形態では、システム情報は、ランダムアクセス構成を含む。概して、ランダムアクセス構成は、どのようにデバイスがランダムアクセスを実施し得るかに関する命令をデバイスに提供する。ランダムアクセス構成は、典型的には、デバイスがランダムアクセス信号を伝送するために使用し得る、許可されたランダムアクセスリソースのセットの情報を含む。ランダムアクセスリソースは、例えば、時間、周波数、空間、コード／シーケンス、および／または電力リソースの組み合わせである。ランダムアクセスリソースは、少なくとも部分的に、同期基準に関連して定義される（例えば、時間および周波数である）。ＬＴＥの実施例では、ランダムアクセス構成は、セル毎に定義され、これはまた、その独自の同期基準を有する。許可されたランダムアクセスリソースのセットは、時間および周波数におけるリソースブロック（ＲＢ）のセットならびに許可されたプリアンブルシーケンスのセットによって定義される。ＳＳＩの実施例では、Ｃ−ＡＩＴが、システム情報の断片内に含まれるテーブルである。テープル内のエントリは、ＳＳＩに対応する。テープル内のエントリは、ランダムアクセス構成を含み、許可されたランダムアクセスリソースのセットは、エントリに対応するＳＳＩによって提供される同期基準に関連して定義される。
【００３３】
いくつかの実施形態では、ランダムアクセス構成はさらに、（動作１０６に説明されるような）複数の測定結果と、デバイスがランダムアクセス信号を伝送するために使用し得る許可されたランダムアクセスリソースのセットとの間のマッピングに関する情報を含む。いくつかの実施形態では、そのようなマッピングは、ランダムアクセスマッピングと称され得る。
【００３４】
依然として図１の動作１１２を参照すると、いくつかの実施形態では、デバイスが、複数の同期基準を取得し、複数の対応するシステム情報の断片を正常にデコードした場合、デバイスは、複数の異なるランダムアクセス構成を取得し得る。種々の実施形態では、そのような複数の異なるランダムアクセス構成のいくつかまたは全ては、ランダムアクセスマッピングを含み、これらは、相互に異なる、または同じであり得る。デバイスは、次いで、それに関連してデバイスがランダムアクセスを試行するであろう対応する同期基準に関するランダムアクセスマッピングを使用し得る。ＳＳＩの実施例では、ＡＩＴは、複数のエントリを含有し得、すなわち、ＡＩＴは、（ＳＳＩの）対応する同期基準に関連して定義される、ランダムアクセスリソースの複数の異なるセットを含有する。
【００３５】
依然として図１の動作１１２を参照すると、いくつかの実施形態では、システム情報は、ランダムアクセスマッピングについての情報を含まない。そのような実施形態では、ランダムアクセスマッピングは、通信標準において規定され得る（すなわち、既知である）。いくつかの実施形態では、ＴＰ（およびネットワーク）は、デバイスが使用するランダムアクセスマッピングを把握する。いくつかの実施形態では、ＴＰ（およびネットワーク）は、デバイスが使用するランダムアクセスマッピングのいくつかの部分または側面を把握する一方、他の部分または詳細は、把握されない。
【００３６】
依然として図１の動作１１２を参照すると、いくつかの実施形態では、システム情報は、測定ＲＳの構成を含有する。したがって、構成は、いくつかの測定ＲＳ、測定ＲＳによって使用される帯域幅、複数の測定ＲＳによって使用される組み合わせられた帯域幅、測定ＲＳによって使用される時間多重化パターン（例えば、周期および時間オフセット）（例えば、図４に関して説明されるようにバーストにおいて時間多重化される）、またはそれらの組み合わせを含み得る。
【００３７】
いくつかの代替実施形態では、動作１１２は、システム情報が測定ＲＳの構成を含むとき、動作１０６に先立って起こり得る。
【００３８】
依然として図１の動作１１２を参照すると、いくつかの実施形態では、ランダムアクセスマッピングは、測定結果に加えて、他の要因を考慮する。そのような要因の実施例は、限定ではないが、デバイスの状態、ランダムアクセス試行の目的（例えば、動作１１６および１２２に関してさらに説明されるであろうハンドオーバ、リンク失敗復元、データ伝送を伴うランダムアクセス、アップリングスケジューリング許可を要求するためのランダムアクセス、または受信されたページングに続くランダムアクセス等）、またはランダムアクセスプロシージャがトリガされるサービスもしくはサービスＱｏＳ要件のタイプを含む。いくつかの実施形態では、ランダムアクセスマッピングは、複数の測定結果を、許可されたランダムアクセスリソースの複数のセットにマッピングし、これらは、散逸または重複し得る。いくつかの実施形態では、少なくともいくつかの測定結果は、システム情報に先立って取得される。いくつかの実施形態では、デバイスは、システム情報またはシステム情報の一部が、いくつかの測定結果に基づいて、例えば、結果がある閾値を上回る場合、存在すると仮定することができる。
【００３９】
同期基準を取得し、測定を実施し、および／または（ランダムアクセス構成を含む）システム情報を取得した後、デバイスは、ランダムアクセスプロシージャに進み得る。いくつかの実施形態では、図１の動作１１４、１１６、１１８、および１２０は、ランダムアクセスプロシージャを図示する。動作１１４−１２０のそれぞれの詳細が、以下のように説明される。
【００４０】
依然として図１を参照すると、プロシージャ１００は、動作１１４に進み、デバイスは、種々の実施形態に従って、許可されたランダムアクセスリソースのセットから、使用されるべきランダムアクセスリソースを選択する。デバイスは、例えば、図２および３等に関してさらに説明されるであろう、時間、コード／シーケンス、測定結果等の種々のパラメータ（すなわち、動作１０６）に基づいて、使用されるべきランダムアクセスリソースを選択し得る。
【００４１】
時間に関して、より短いランダムアクセス遅延のために、種々の実施形態では、デバイスは、有利なこととして、短時間で後続するランダムアクセスリソースを選択し得る。コード／シーケンスに関して、いくつかの実施形態では、デバイスは、ランダムアクセス信号のために使用されるコード／シーケンスの選択によって、ランダムアクセス信号受信機に情報を伝達する。例えば、可能なコード／シーケンスのセットは、サブセットに細分化され得、デバイスのサブセット選択は、伝達されるべき情報に基づく。ランダムアクセス受信機は、ランダムアクセス信号を受信および検出するように意図されるエンティティである。いくつかの実施形態では、１つまたはそれを上回るＴＰが、使用される。ＬＴＥでは、例えば、競合ベースのランダムアクセスに関するプリアンブルシーケンスが、２つのサブセットに細分化される。ＵＥが選択したシーケンスが属するサブセットは、ｅＮｏｄｅＢに後続ＵＥメッセージのサイズを示す。いくつかの他の実施形態では、デバイスは、可能なランダムアクセスコード／シーケンスのセットの中から無作為または疑似無作為に選定し得る。
【００４２】
いくつかの実施形態では、デバイスが、許可されたランダムアクセスリソースの複数のセットに対応する複数のランダムアクセス構成を取得した場合、デバイスは、最初に、それらのセットのどれを選択するかを選択し得る。例えば、そのような選択は、図１の動作１０６に説明されるように、異なる同期基準に対応する測定結果に基づき得る。他の実施形態では、ネットワークは、デバイスがランダムアクセスを実施するであろう同期基準に基づいて決定し得る。ＬＴＥでは、例えば、ＵＥは、最初に、典型的には、測定結果に基づいて、どのセルにランダムアクセスを実施するかを選定し得る。次いで、ＵＥは、そのセルのランダムアクセス構成を適用し、対応するリソースを選択するであろう。一方、ハンドオーバ中、サービングセルは、どのセルにＵＥがランダムアクセスを実施すべきかを決定する。
【００４３】
上記に説明されるように、いくつかの実施形態では、ランダムアクセスリソースの選択は、測定（例えば、動作１０６）に基づき得る。より具体的には、図２の図示される実施形態では、複数の測定ＲＳに対する複数の測定の結果（すなわち、動作１０６）および場合によっては他の要因に基づいて、デバイスは、（動作１１２に説明されるような）ランダムアクセスマッピングを使用して、許可されたランダムアクセスリソースのセットを選択する（すなわち、動作１１４）。いくつかの実施形態では、許可されたランダムアクセスリソースの複数のセットが、選択される。許可されたランダムアクセスリソースの複数のセットが選択される、図３の図示される実施形態（すなわち、図３に示されるような複数の動作１１４）では、動作１１４は、図３に図示されるように、デバイスが許可されたランダムアクセスリソースのセット毎にランダムアクセスリソースを選択するように実装され得る。動作１１４のいくつかの実施形態では、デバイスは、許可されたランダムアクセスリソースの単一セットから複数のランダムアクセスリソースを選択し得る。
【００４４】
再び図１を参照すると、プロシージャ１００は、随意の動作１１６に進み、デバイスは、種々の実施形態に従って、選択されたランダムアクセスリソースを使用して、ランダムアクセス信号を伝送する。いくつかの実施形態では、デバイスはまた、ランダムアクセス応答を受信する（すなわち、以下に説明されるであろう動作１２０）前に、（動作１１４に関して上記に説明されるように）コード／シーケンスの選定において内蔵される任意の情報に加えて、ランダムアクセス信号の一部として、またはそれと関連して、データを伝送し得る。ランダムアクセス信号のために使用される伝送電力もまた、測定結果に基づき得る。
【００４５】
複数のランダムアクセスリソースが（図３に示されるように）選択されるいくつかの実施形態では、したがって、動作１１６は、デバイスが、選択されたランダムアクセスリソースを使用して、複数のランダムアクセス信号を伝送するように実装され得る。そのような実施形態によると、デバイスは、次いで、応答が受信される前に、複数のランダムアクセス信号を伝送するであろう。複数のランダムアクセスリソースが時間において分離されるいくつかの実施形態では、先に伝送されたランダムアクセス信号への応答が、後のランダムアクセス信号が伝送される前に受信され得る。
【００４６】
プロシージャ１００は、動作１１８に進み、ランダムアクセス信号受信機は、ランダムアクセスリソース上のランダムアクセス信号を受信し、それに応答して、ランダムアクセス信号を検出し始める。いくつかの実施形態では、ランダムアクセス信号受信機は、許可されたランダムアクセスリソースのセットを提供するＴＰを含む。
【００４７】
プロシージャは、動作１２０に進み、ランダムアクセス受信機（例えば、ＴＰ）は、種々の実施形態に従って、動作１１８における検出に従ってデバイスに応答する。いくつかの実施形態では、動作１２０における検出が成功する場合、ランダムアクセス受信機は、ランダムアクセス応答を用いてデバイスに応答する。いくつかのＬＴＥ実施形態では、例えば、ｅＮｏｄｅＢが、ランダムアクセス応答（ＲＡＲ）メッセージを用いてＵＥに応答する。いくつかのＵＭＴＳ実施形態では、ＮｏｄｅＢが、アクイジションインジケータチャネル（ＡＩＣＨ）を用いて応答する。他の応答も、他の実施形態において使用され得る。ランダムアクセス応答は、典型的には、デバイスに関するさらなる情報および構成を含有する。データがランダムアクセス信号の一部として、またはそれと関連して伝送された場合、ランダムアクセス応答は、本データの正常なデコードの肯定応答（ＡＣＫ）または否定応答（ＮＡＣＫ）を含み得る。一方、ランダムアクセス受信機が、ランダムアクセス信号を正常に検出しない場合、対応するランダムアクセス応答は、デバイスによって受信されず、これは、ランダムアクセス試行がある点において失敗したと推論し得る。デバイスは、次いで、いくつかの実施形態では、典型的には、増加された伝送電力もまた伴う、完全または部分的に新しいランダムアクセスリソースを動作１１４において選択することによって、再び試行し得る。
【００４８】
プロシージャは、動作１２２に進み、デバイスは、種々の実施形態に従って、ランダムアクセス応答の受信直後にデータを伝送する。いくつかのＵＭＴＳ実施形態では、例えば、少量のデータが、アクイジションインジケータチャネル（ＡＩＣＨ）の受信に続いて、ランダムアクセス信号の後に伝送され得る。
【００４９】
それぞれ、動作１０４、１０６、１０８、および１１２において言及される同期信号、測定ＲＳ、測定結果、ランダムアクセスリソース、およびランダムアクセスマッピングは、以下にさらに詳細に説明されるであろう。
【００５０】
ここで図４を参照すると、周期的に伝送されるバーストの例示的実施形態が、示される。図４の図示される実施形態においてより具体的には、周期的に伝送されるバーストは、バースト周期、バースト持続時間、およびバースト幅を含む。いくつかの実施形態では、同期信号および測定ＲＳは、バーストにおいて（周期的に）伝送される。いくつかの実施形態では、周期的伝送におけるバースト間の時間、すなわち、バースト周期は、バースト持続時間よりもはるかに長い。いくつかの実施形態では、バースト持続時間は、１ｍ秒の倍数、例えば、１〜５ｍ秒である。いくつかの実施形態では、バースト持続時間は、ＬＴＥ直交周波数多重（ＯＦＤＭ）シンボル持続時間の整数倍、すなわち、いくつかのＬＴＥ構成では、約７１．４マイクロ秒の倍数である。いくつかの実施形態では、バースト周期は、８０、１００、１６０、または２００ミリ秒であるが、他の持続時間も、他の実施形態において使用され得る。
【００５１】
いくつかの実施形態では、同期信号は、ＬＴＥの同期信号、すなわち、ＰＳＳおよびＳＳＳである。いくつかのそのような実施形態では、ＰＳＳとＳＳＳとの間の時間および周波数における関係は、ＬＴＥと同様であり、すなわち、ＰＳＳは、周波数分割複信（ＦＤＤ）においてＳＳＳ後にＯＦＤＭシンボルを辿る、または時分割複信（ＴＤＤ）においてＳＳＳ後に２つのＯＦＤＭシンボルを辿る。いくつかの実施形態では、ＰＳＳは、同期信号として使用されるが、ＳＳＳは、そうではない。いくつかの実施形態では、ＣＲＳもまた、ＰＳＳおよび／またはＳＳＳに加えて伝送され、同期のために使用され得る。図１の動作１０４に説明されるように、単一のセルからのＰＳＳ／ＳＳＳ／ＣＲＳが、１つの同期基準を取得するために使用されるとき等、複数の同期信号が、単一の同期基準を取得するために使用されることができる。さらに、いくつかの実施形態では、異なる（相互に同期していない）セルからのＰＳＳ／ＳＳＳ／ＣＲＳが、複数の同期基準を取得するために使用され得る、すなわち、１つの同期基準が、１つのセルの同期に対応するとき等、複数の同期信号が、複数の同期基準を取得するために使用されることができる。
【００５２】
種々の実施形態では、デバイスは、図１の動作１０６に説明されるように、同期基準に基づいて、複数の測定ＲＳに対して測定を実施する。いくつかの実施形態では、複数の測定ＲＳは、（図５に示されるように）同期信号とともにバーストにおいて伝送され、種々のバースト実施形態が、上記に説明される。いくつかの実施形態では、複数の測定ＲＳは、バーストのみにおいて伝送される。いくつかの他の実施形態では、バーストの内側で伝送されることに加えて、複数の測定ＲＳは、バーストの外側で伝送され得る。いくつかの実施形態では、複数の測定ＲＳは、各バーストにおいて繰り返し伝送される。いくつかの実施形態では、複数の測定ＲＳのうちの１つまたはそれを上回るものは、各バーストにおいて伝送されない。いくつかの実施形態では、各バーストにおいて伝送されない個々の測定ＲＳは、ｎ番目のバースト毎に伝送され、ｎは、１を上回る整数である。いくつかの実施形態では、最大ｎ個の異なる測定ＲＳが、ｎ番目のバースト毎であるが、異なるバーストにおいてＲＳを（時間を除いて）同一のリソース上で伝送することによって、時間多重化される。
【００５３】
いくつかの実施形態では、複数の測定ＲＳは、各バーストにおいて繰り返し伝送される。いくつかの実施形態では、複数の測定ＲＳのうちの１つまたはそれを上回るものは、各バーストにおいて伝送されない。いくつかの実施形態では、各バーストにおいて伝送されない個々の測定ＲＳは、ｎ番目のバースト毎に伝送され、ｎは、１を上回る整数である。いくつかの実施形態では、最大ｎ個の異なる測定ＲＳが、ｎ番目のバースト毎であるが、異なるバーストにおいてＲＳを（時間を除いて）同一のリソース上で伝送することによって、時間多重化される。
【００５４】
いくつかの実施形態では、１つまたはそれを上回る同期信号に関連する１つもしくはそれを上回るパラメータは、以下に議論される測定ＲＳに関連する１つもしくはそれを上回るパラメータを示す。いくつかの実施形態では、同期信号のために使用される１つまたはそれを上回るシーケンス／コードは、測定ＲＳに関連する１つもしくはそれを上回るパラメータを示すために使用される。ＰＳＳ／ＳＳＳが同期信号として使用されるいくつかの実施形態では、ＰＣＩは、測定ＲＳに関連する１つまたはそれを上回るパラメータを示す。いくつかの実施形態では、（同一の同期基準に対応する）異なる同期信号間の相対的時間差は、測定ＲＳに関連する１つまたはそれを上回るパラメータを示す。ＰＳＳ／ＳＳＳが同期信号として使用されるいくつかの実施形態では、ＰＳＳとＳＳＳとの間の相対的時間差は、測定ＲＳに関連する１つまたはそれを上回るパラメータを示し得る。
【００５５】
種々の実施形態では、同期信号および測定ＲＳを含有するバーストはまた、基本システム情報を含有し、これは、いくつかの実施形態では、測定ＲＳに関連する１つまたはそれを上回るパラメータを含む。いくつかの実施形態では、基本システム情報は、マルチキャリアシステム内の副搬送波のセット上に変調されたチャネルエンコード情報ビットのブロックである。他の実施形態では、ビットは、単一搬送波波形上に変調される。いくつかの実施形態では、ブロードキャストされたシステム情報またはシステム情報のある断片を含有するバーストはまた、１つまたはそれを上回るある測定ＲＳの伝送を含有する。いくつかの実施形態では、デバイスは、同一のバーストにおける１つまたはそれを上回る測定ＲＳに関する測定結果が、ある閾値を上回り、測定値が、複数のバーストにわたって平均化されない場合、システム情報またはそのある断片は、バースト内で利用可能であると仮定し得る。これらの実施形態は、ネットワークまたはＴＰによって使用され、バーストのほんの一部だけにブロードキャストされたシステム情報またはシステム情報のある断片を含有させることができる。デバイスは、測定ＲＳの存在による情報の存在によって通知されるであろう。いくつかの実施形態では、システム情報またはシステム情報の断片の存在に関連する測定ＲＳはまた、ブロードキャストされたシステム情報を復調するために使用され得る。
【００５６】
いくつかの実施形態では、測定ＲＳに関連する１つまたはそれを上回るパラメータは、規格において明示的に定義される。いくつかの実施形態では、測定ＲＳに関連する１つまたはそれを上回るパラメータは、ネットワークへのより早期の接続におけるデバイスに関して具体的に構成された。デバイスが、ＬＴＥにおける二重コネクティビティまたは将来のシステムにおけるマルチコネクティビティ等の複数の同時接続が可能であるいくつかの実施形態では、測定ＲＳに関連する１つまたはそれを上回るパラメータは、既存の接続を通して構成される。既存の接続は、いくつかの実施形態では、本開示の初期アクセスが起こる搬送波と同一の搬送波（すなわち、周波数帯域）上にあり、いくつかの実施形態では、別の搬送波上にある。
【００５７】
いくつかの実施形態では、測定ＲＳに関連する１つまたはそれを上回るパラメータは、以下のうちの１つもしくはそれを上回るものを含む。
・測定ＲＳのために使用される合計帯域幅
・個々の測定ＲＳまたは複数の異なる測定ＲＳのために使用される副搬送波間の周波数間隔
・個々の測定ＲＳのインスタンスまたは複数の異なる測定ＲＳに関する持続時間、例えば、バースト内の持続時間
・同期信号と個々の測定ＲＳまたは複数の異なる測定ＲＳとの間の時間オフセット
・個々の測定ＲＳのために使用される時間シンボルならびに／または副搬送波間の時間および／もしくは周波数の分布
・個々の測定ＲＳまたは複数の異なる測定ＲＳのために使用されるシーケンスもしくはコード
・個々の測定ＲＳまたは複数の異なる測定ＲＳのために使用されるリソースの量。測定ＲＳに関連する他のパラメータも、他の実施形態において使用される。
【００５８】
図１の動作１０６の上記の議論では、デバイスは、１つまたはそれを上回る測定ＲＳに対する測定から１つまたはそれを上回る測定結果を取得する。測定結果の種々の実施形態が、以下に列挙されるが、他の測定結果も、他の実施形態において使用される。
・基準信号受信電力（ＲＳＲＰ）
・基準信号受信品質（ＲＳＲＱ）
・信号対干渉電力比（ＳＩＮＲ）
・信号対雑音電力比（ＳＮＲ）
・信号対干渉電力比（ＳＩＲ）
・予期されるデータレート
・予期されるスペクトル効率
・予期されるエネルギー効率
・予期される待ち時間
・チャネル推定値
・チャネル品質インジケータ（ＣＱＩ）
・推奨される予期またはサポートされる伝送ランク
【００５９】
バーストを伴う種々の実施形態では、デバイスは、複数のバーストにわたる測定結果を平均化し得る。バーストを伴ういくつかの実施形態では、デバイスは、複数のバーストにわたる測定結果を平均化しない場合がある。バーストを伴ういくつかの実施形態では、デバイスは、全てのバーストではなく、あるバーストにわたる測定結果を平均化し得る。
【００６０】
ランダムアクセスリソースに関して、いくつかの実施形態では、許可されたランダムアクセスリソースは、ランダムアクセススロットである。いくつかの実施形態では、許可されたランダムアクセスリソースは、ランダムアクセスプリアンブルである。いくつかの実施形態では、許可されたランダムアクセスリソースは、ランダムアクセススロットおよびランダムアクセスプリアンブルの組み合わせである。
【００６１】
いくつかの実施形態では、許可されたランダムアクセスリソースのセットは、ランダムアクセスプリアンブルのセットであり、いくつかの実施形態では、許可されたランダムアクセスリソースのセットは、ランダムアクセスプリアンブルおよびランダムアクセススロットのセットである。いくつかの実施形態では、ランダムアクセスプリアンブルのセットは、全てのランダムアクセスプリアンブルを含む、すなわち、ランダムアクセスプリアンブルの選択は、制限されない。いくつかの実施形態では、ランダムアクセスプリアンブルのセットは、全てのランダムアクセスプリアンブルのサブセットを含む、すなわち、ランダムアクセスプリアンブルの選択は、制限される。いくつかの実施形態では、許可されたランダムアクセスリソースのセットは、これらのランダムアクセススロット毎に定義されるランダムアクセスプリアンブルのセットを伴う複数のランダムアクセススロットのセットである。
【００６２】
種々の実施形態では、ランダムアクセススロットは、連続時間−周波数範囲、例えば、いくつかの実施形態では、隣接するＲＢのセットまたはいくつかの実施形態では、隣接する副搬送波および時間シンボルのセットである。いくつかの実施形態では、異なる周波数上にいくつかの同時または部分的に同時のランダムアクセススロットが存在する。いくつかの実施形態では、２つの異なるランダムアクセススロットの時間−周波数範囲は、重複しない一方、いくつかの実施形態では、それらは、部分的に重複する。いくつかの実施形態では、ランダムアクセススロットは、時間において繰り返し、例えば、いくつかの実施形態では、周期的に起こる。
【００６３】
種々の実施形態では、ランダムアクセスプリアンブルは、デバイスによってランダムアクセス信号として使用され得る信号である。種々の実施形態では、ランダムアクセス信号として使用され得る、複数の異なるランダムアクセスプリアンブルが存在する。いくつかの実施形態では、ランダムアクセスプリアンブルは、種々の実施形態では、ランダムアクセスプリアンブルを生成するために使用される、シーケンス、コード、および／またはインデックスによって定義される。他の実施形態では、ランダムアクセスプリアンブルは、信号を生成するために使用され得る、他のパラメータを通して定義される。
【００６４】
図６は、ランダムアクセスリソースが時間においてバーストに続く実施例（上側および下側実施例）を図示する。これらの実施例では、許可されたランダムアクセスリソースの４つのセットＡ、Ｂ、Ｃ、Ｄが存在する。これらの実施例では、セットＡおよびＢは、同一のランダムアクセススロット（時間−周波数リソース）を共有し、セットＣおよびＤは、同一のランダムアクセススロットを共有する。セットＡおよびＢは、Ａがランダムアクセスプリアンブルの１つのセットを含む一方、Ｂがランダムアクセスプリアンブルの別のセットを含む場合、依然として異なり得る。いくつかの例示的実施形態では、Ａに関するプリアンブルのセットは、Ｃに関するものと同一であり、Ｂに関するプリアンブルのセットは、Ｄに関するものと同一である。いくつかの他の実施形態では、それらは、相互に異なる。上側実施例では、許可されたランダムアクセスリソースのセットは、時間において重複する。下側実施例では、それらは、周波数において重複する。セットＡ、Ｂ、Ｃ、およびＤは、それらが時間、周波数、またはプリアンブルのうちの少なくとも１つにおいて異なるため、散逸する。
【００６５】
ここで図１の動作１１２に関して説明されるランダムアクセスマッピングを参照すると、ランダムアクセスマッピングは、（上記に列挙される種々の実施形態を伴う）複数の測定ＲＳからの（上記に列挙される種々の実施形態を伴う）複数の測定結果から（上記に列挙される種々の実施形態を伴う）許可されたランダムアクセスリソースの１つまたはそれを上回るセットへのマッピングを定義する。
【００６６】
そのようなマッピングの種々の実施形態が、以下に列挙される。最も高い測定結果が、許可されたランダムアクセスリソースのセットを選択するために使用される。
・いくつかの他の実施形態では、測定ＲＳが、許可されたランダムアクセスリソースのセットに対応する。最も高い測定結果を伴う測定ＲＳに関する許可されたランダムアクセスリソースのセットが、選択される。
・いくつかの他の実施形態では、デバイスが、測定ＲＳに関する複数の異なる種類の測定結果、例えば、ＲＳＲＰおよび予期されるスペクトル効率を取得する。いくつかのそのような実施形態では、複数の異なる種類の測定結果は、組み合わせられた測定結果に組み合わせられ得る。次いで、その最も高い組み合わせられた測定結果が、許可されたランダムアクセスリソースのセットを選択するために使用される。
・いくつかの実施形態では、複数の測定ＲＳが、許可されたランダムアクセスリソースのセットに対応し、複数の測定ＲＳは、測定結果を取得するために使用される。いくつかの実施形態では、複数の測定ＲＳの異なるセットが、許可されたランダムアクセスリソースの異なるセットに対応する。種々の実施形態では、最も高い測定結果を伴う複数の測定ＲＳに関する許可されたランダムアクセスリソースのセットが、選択される。
・いくつかの実施形態では、デバイスが、（許可されたランダムアクセスリソースのセットに対応する）複数の測定ＲＳに関する複数の異なる種類の測定結果、例えば、サポートされる伝送ランクおよび各サポートされるレイヤ上の予期されるスペクトル効率を取得する。いくつかのそのような実施形態では、複数の異なる種類の測定結果は、組み合わせられた測定結果に組み合わせられ得る。次いで、最も高い組み合わせられた測定結果が、許可されたランダムアクセスリソースのセットを選択するために使用され得る。
・いくつかの実施形態では、最も高い測定されたＲＳＲＰを伴う測定ＲＳが、許可されたランダムアクセスリソースのセットを選択するために使用される。
・いくつかの実施形態では、許可されたランダムアクセスリソースのセットが、最も高い結果がある閾値を上回る場合のみ、選択される。
・いくつかの実施形態では、１つの種類の測定結果が、最も高い測定結果を伴う測定ＲＳを見出すために使用され、最も高い測定結果を伴う測定ＲＳ上の別の種類の測定結果が、上記のようなある閾値と比較するために使用される。
【００６７】
図７は、許可されたランダムアクセスリソースのセットが、複数の測定ＲＳに対する複数の測定の比較に基づくランダムアクセスマッピングを通して選択される実施例を図示する。図７に図示されるように、４つの異なる測定ＲＳ（測定ＲＳ１、２、３、および４）が、測定結果１、２、３、および４を提供するために測定され、測定結果は、ランダムアクセスマッピングにおいて比較される。比較に基づいて、最も高い測定結果は、（図６に図示されるような）許可されたランダムアクセスリソースＡ、Ｂ、Ｃ、およびＤの中から許可されたランダムアクセスリソースのセットを選択するために使用される。
【００６８】
本開示はまた、上記に説明されるような、例えば、先の黒丸印における種々の実施形態を網羅するが、Ｍ個の最も高い測定結果が、許可されたランダムアクセスリソースの複数（いくつかの実施形態では、Ｍ個）のセットを選択するために使用され、セットは、いくつかの実施形態では、散逸し、いくつかの実施形態では、重複し得る。
【００６９】
最も高い測定結果のある範囲内である測定結果は、種々の実施形態では、許可されたランダムアクセスリソースのセットを選択するために使用される。例えば、
・いくつかの他の実施形態では、測定ＲＳが、許可されたランダムアクセスリソースのセットに対応する。デバイスは、最も高い測定結果のある範囲内の測定結果を伴う測定ＲＳに関する許可されたランダムアクセスリソースのセットの集合を選択する。
・いくつかの他の実施形態では、デバイスが、測定ＲＳに関する複数の異なる種類の測定結果、例えば、ＲＳＲＰおよび予期されるスペクトル効率を取得する。いくつかのそのような実施形態では、複数の異なる種類の測定結果は、組み合わせられた測定結果に組み合わせられ得る。次いで、最も高いもののある範囲内である組み合わせられた測定結果は、そのような実施形態では、許可されたランダムアクセスリソースのセットを選択するために使用される。
・いくつかの実施形態では、複数の測定ＲＳが、許可されたランダムアクセスリソースのセットに対応し、複数の測定ＲＳは、測定結果を取得するために使用される。いくつかの実施形態では、複数の測定ＲＳの異なるセットが、許可されたランダムアクセスリソースの異なるセットに対応する。そのような実施形態では、デバイスは、最も高い測定結果のある範囲内の測定結果を伴う測定ＲＳに関する許可されたランダムアクセスリソースのセットの集合を選択する。
・いくつかの実施形態では、デバイスが、（許可されたランダムアクセスリソースのセットに対応する）複数の測定ＲＳに関する複数の異なる種類の測定結果、例えば、サポートされる伝送ランクおよび各サポートされるレイヤ上の予期されるスペクトル効率を取得する。そのような実施形態では、複数の異なる種類の測定結果は、組み合わせられた測定結果、例えば、レイヤにわたる合計スペクトル効率に組み合わせられ得る。次いで、最も高いもののある範囲内である組み合わせられた測定結果は、そのような実施形態では、許可されたランダムアクセスリソースのセットを選択するために使用される。
・いくつかの実施形態では、最も高い測定されたＲＳＲＰのある範囲内の測定されたＲＳＲＰを伴う測定ＲＳが、許可されたランダムアクセスリソースのセットを選択するために使用される。
・いくつかの実施形態では、許可されたランダムアクセスリソースのセットは、最も高い結果がある閾値を上回る場合のみ、選択される。ある閾値の定義または構成の種々の実施形態が、以下に与えられる。
・いくつかの実施形態では、また、ある閾値を上回る最も高い測定結果のある範囲内の測定結果のみが、許可されたランダムアクセスリソースのセットを選択するために使用される。
・いくつかの実施形態では、１つの種類の測定結果が、最も高い測定結果を伴う測定ＲＳを見出すために使用され、最も高い測定結果を伴う測定ＲＳに対する別の種類の測定結果が、上記のようなある閾値と比較するために使用される。
【００７０】
上記の種々の実施形態は、閾値の使用を含む。いくつかの実施形態では、ある閾値が、標準において明示的に定義される。いくつかの実施形態では、ある閾値が、ブロードキャストされたシステム情報において構成され得る。いくつかの実施形態では、ある閾値が、ネットワークへの早期の接続におけるデバイスに関して具体的に構成され、例えば、ある実施形態では、本開示における初期アクセスは、ハンドオーバプロシージャの一部であり、デバイスは、ハンドオーバの前に早期の接続に接続された。デバイスが、ＬＴＥにおける二重コネクティビティまたは将来のシステムにおけるマルチコネクティビティ等の複数の同時接続が可能であるいくつかの実施形態では、ある閾値が、既存の接続を通して構成される。既存の接続は、初期アクセスがある搬送波と同一の搬送波（すなわち、周波数帯域）上にある。
【００７１】
本開示はまた、許可されたランダムアクセスリソースの複数のセットにマッピングされている、１つまたはそれを上回る測定ＲＳを伴う（最も高い測定結果のある範囲内である測定結果を伴う）複数の実施形態を提供する。いくつかの実施形態では、それらの測定ＲＳはそれぞれ、許可されたランダムアクセスリソースのセットにマッピングされる。いくつかの実施形態では、１つまたはそれを上回る測定ＲＳは、許可されたランダムアクセスリソースの複数のセットに合同でマッピングされる。
【００７２】
本開示はまた、上記に説明される実施形態を網羅するが、最も低い測定結果が、最も高いものの代わりに使用される。
【００７３】
種々の実施形態では、上記の種々の実施形態において列挙されるように、測定結果に加えて、他の要因も、マッピングにおいて考慮される。例えば、
・いくつかの実施形態では、ランダムアクセスをトリガするサービス（または複数のサービス）のタイプが、許可されたランダムアクセスリソースのセットの選択において考慮される。
・いくつかの実施形態では、ランダムアクセスをトリガした通信またはサービスのサービス品質もしくは性能要件が、許可されたランダムアクセスリソースのセットの選択において考慮される。
・いくつかの実施形態では、待ち時間要件が、許可されたランダムアクセスリソースのセットの選択において考慮される。例えば、より短い待ち時間のために、時間においてより近接するランダムアクセスリソースが、選択され得る。
・いくつかの実施形態では、システム情報を受信する必要性が、許可されたランダムアクセスリソースのセットの選択において考慮される。
・いくつかの実施形態では、システム情報の異なる断片を受信する要求が、許可されたランダムアクセスリソースのセットの異なる選択に対応する。
・いくつかの実施形態では、上記に概説されるようなシステム情報のある断片を受信する要求に対応するランダムアクセス信号伝送に、ランダムアクセス応答として、またはランダムアクセス応答と関連して、システム情報の要求された断片が続く。
【００７４】
デバイスによって使用されるランダムアクセスマッピングの定義または構成の種々の実施形態が、以下に与えられる。いくつかの実施形態では、マッピングが、標準において明示的に定義される。いくつかの実施形態では、マッピングが、ブロードキャストされたシステム情報において構成され得る。いくつかの実施形態では、マッピングが、ネットワークへの早期の接続におけるデバイスに関して具体的に構成され、例えば、ある実施形態では、本開示における初期アクセスは、ハンドオーバプロシージャの一部であり、デバイスは、ハンドオーバの前に早期の接続に接続された。デバイスが、ＬＴＥにおける二重コネクティビティまたは将来のシステムにおけるマルチコネクティビティ等の複数の同時接続が可能であるいくつかの実施形態では、マッピングが、既存の接続を通して構成される。既存の接続は、いくつかの実施形態では、本開示の初期アクセスが起こる搬送波と同一の搬送波（すなわち、周波数帯域）上にあり、いくつかの実施形態では、別の搬送波上にある。
【００７５】
種々の実施形態では、デバイスが、システム情報を取得し、これは、例えば、Ｃ−ＡＩＴを受信およびデコードすることによって、または専用シグナリングを使用してＤ−ＡＩＴを受信することによって、ＡＩＴを含む。
【００７６】
種々の実施形態では、システム情報の断片はまた、測定ＲＳの構成またはインジケーション、例えば、使用中の異なる測定ＲＳの数、測定ＲＳによって使用される時間／周波数リソース、測定ＲＳ伝送周期、測定ＲＳのために使用されるシーケンスもしくは値等を含む。種々の実施形態では、測定ＲＳ構成は、ＡＩＴ内、例えば、Ｃ−ＡＩＴまたはＤ−ＡＩＴ内に含まれる。種々の実施形態では、測定ＲＳ構成は、Ｃ−ＡＩＴおよび測定ＲＳ構成の両方を含むシステム情報の断片内に含まれ、すなわち、測定構成は、Ｃ−ＡＩＴ内に含まれない。種々の実施形態では、測定ＲＳ構成は、例えば、ＲＲＣシグナリングによって、測定ＲＳ構成およびＤ−ＡＩＴの両方を含む専用デバイス構成内に含まれ、すなわち、測定構成は、Ｄ−ＡＩＴ内に含まれない。
【００７７】
ＡＩＴは、複数のエントリを含有し、それぞれ、ＳＳＩに対応する。ＡＩＴエントリは、ランダムアクセス構成を含有する。
【００７８】
種々の実施形態では、ランダムアクセス構成は、許可されたランダムアクセスリソースの複数のセットを含有する。種々の実施形態では、そのような許可されたランダムアクセスリソースのセットは、散逸し、いくつかの実施形態では、それらは、種々の組み合わせにおいて重複する。
【００７９】
種々の実施形態では、ランダムアクセス構成は、例えば、測定ＲＳの測定結果から許可されたランダムアクセスリソースのセットへのランダムアクセスマッピングを含有する、または示す。そのようなマッピングの種々の実施形態は、１つの測定ＲＳから許可されたランダムアクセスリソースの１つのセットへのマッピングを含め、先の節において説明された。
【００８０】
種々の実施形態では、ランダムアクセス構成は、許可されたランダムアクセスリソースの「マッピングされていない」セットを含み、「マッピングされていない」は、上記に説明される許可されたランダムアクセスリソースの「マッピングされた」セットとは異なり、セットが測定結果から測定ＲＳに対するマッピングに基づいて選択されないことを意味する。種々の実施形態では、デバイスは、種々の理由から、「マッピングされた」セットからランダムアクセスリソースを選択するよりも好適である場合、許可されたランダムアクセスリソースの「マッピングされていない」セットからランダムアクセスリソースを選択し得る。そのような理由は、種々の実施形態では、測定ＲＳに基づく測定結果が、例えば、以下に起因して利用可能ではない、または信頼性がないことを含み得る。
・測定結果が取得される前に、ランダムアクセスリソースが選択され、ランダムアクセス信号が伝送される必要があるような、短い待ち時間に関する要件。
・測定結果が、不正確である。
・デバイスが、高速で移動しており、したがって、測定結果が、期限切れであり得る。
【００８１】
種々の実施形態では、許可されたランダムアクセスリソースの「マッピングされていない」セットは、許可されたランダムアクセスリソースの全体的セット（その集合）および許可されたランダムアクセスリソースの「マッピングされた」セットによって定義される。「マッピングされていない」セットは、ひいては、「マッピングされた」セットのいずれにも含まれない全体的セット内のリソースである。
【００８２】
種々の実施形態では、ランダムアクセス構成は、許可されたランダムアクセスリソースのセットおよび測定ＲＳの構成を含有する。種々の実施形態では、そのようなセットおよび測定ＲＳの対は、測定ＲＳに関する測定結果、例えば、ＲＳＲＰが最良であった（例えば、ＲＳＲＰの場合では最も高い）場合、デバイスが許可されたランダムアクセスリソースのセットを選択するべきであるマッピングを示す。種々の実施形態では、ランダムアクセス構成は、許可されたランダムアクセスリソースのセットおよび測定ＲＳの１つまたはそれを上回るそのような対を含み得る。種々の実施形態では、そのような対内の測定ＲＳ構成は、上記の種々の実施形態に従って、より詳細な測定ＲＳ構成を含有する。種々の実施形態では、そのような対内の測定ＲＳ構成は、測定ＲＳのインデックスを含有し、これは、別の場所、例えば、仕様における別個の（例えば、共通またはデバイス専用）測定ＲＳ構成または測定ＲＳテーブルにおけるより詳細な測定ＲＳ構成を指示する。種々の実施形態では、そのような対内の測定ＲＳ構成は、より詳細な測定ＲＳ構成および別の場所の詳細な構成を指示するインデックスの組み合わせである。
【００８３】
図１の類似するプロシージャ１００に続いて、同期信号がＳＳＩを含むいくつかの代替実施形態では、以下に説明されるような２つのプロシージャが、ランダムアクセスを実施する（すなわち、１１４−１２２の動作）前にデバイスによって繰り返し使用され得る。
【００８４】
ある実施形態では、（図１の動作１０２と同様に）デバイスは、ＳＳＩを含む１つまたはそれを上回る同期信号に関して検索し、デバイスは、１つまたはそれを上回るＳＳＩを検出する。（図１の動作１０４と同様に）各検出されたＳＳＩは、デバイスに同期基準を提供し、（図１の動作１０６と同様に）デバイスは、１つまたはそれを上回るＳＳＩに対して測定を実施し、各異なる測定が、同期基準として対応する異なるＳＳＩを使用して実施され、（図１の動作１０８と同様に）デバイスは、ＡＩＴを含むシステム情報を受信し、（図１の動作１１０と同様に）デバイスは、ＡＩＴを含むシステム情報をデコードし、（図１の動作１１２と同様に）デバイスは、ＳＳＩ測定結果に基づいて、ＡＩＴ内のエントリ、例えば、最も強力な測定されたＳＳＩのインデックスに対応するエントリを選択する。ランダムアクセス構成は、エントリ内に含まれる。
【００８５】
別の実施形態では、デバイスは、ＳＳＩ測定を実施する前にシステム情報を受信し得る。したがって、プロシージャは、以下のように使用され得、（図１の動作１０２と同様に）デバイスは、ＳＳＩを含む１つまたはそれを上回る同期信号に関して検索し、デバイスは、１つまたはそれを上回るＳＳＩを検出する。（図１の動作１０４と同様に）各検出されたＳＳＩは、デバイスに同期基準を提供し、デバイスは、ＡＩＴを含むシステム情報を受信し、デバイスは、ＡＩＴを含むシステム情報をデコードし、デバイスは、１つまたはそれを上回るＳＳＩに対して測定を実施し、各異なる測定が、同期基準として対応する異なるＳＳＩを使用して実施され、デバイスは、ＳＳＩ測定結果に基づいて、ＡＩＴ内のエントリ、例えば、最も強力な測定されたＳＳＩのインデックスに対応するエントリを選択する。ランダムアクセス構成は、エントリ内に含まれる。
【００８６】
上記に説明されるプロシージャは、システム情報受信と測定との間の順序が恣意的であるため、同等である。
【００８７】
種々のさらなるデバイスプロシージャ実施形態が、以下に説明され、これらは、ランダムアクセス構成が許可されたランダムアクセスリソースの１つまたはそれを上回るセットを含有し、測定ＲＳ測定からの結果がそのようなセットを選択するために使用される、上記に説明される実施形態に基づく。
【００８８】
いくつかの実施形態では、再び図１の動作１０８を参照すると、デバイスは、ＡＩＴおよび測定ＲＳ構成を含むシステム情報をデコードする。デバイスは、測定ＲＳに対する測定を直ちに開始し、選択されたＡＩＴエントリに対応するＳＳＩが、同期基準として使用され得る。いくつかの実施形態では、再び図１の動作１１０を参照すると、デバイスは、ＡＩＴおよび測定ＲＳ構成を含むシステム情報をデコードする。デバイスは、測定ＲＳに対する測定を直ちに開始し、選択されたＡＩＴエントリに対応するＳＳＩが、同期基準として使用され得る。
【００８９】
いくつかの実施形態では、再び図１の動作１１２を参照すると、デバイスは、ＳＳＩ測定結果に基づいて、ＡＩＴ内のエントリ、例えば、最も強力な測定されたＳＳＩのインデックスに対応するエントリを選択する。ランダムアクセス構成は、エントリ内に含まれる。許可されたランダムアクセスリソースの１つまたはそれを上回るセットが、上記に議論される種々の実施形態に従って、エントリ内、例えば、ランダムアクセス構成内に含まれる。種々の実施形態では、測定ＲＳ構成もまた、例えば、上記に議論される種々の実施形態に従って、エントリ内に含まれる。種々の実施形態では、例えば、測定ＲＳ構成が、システム情報内に含まれる場合、エントリは、測定ＲＳ構成を含まない。種々の実施形態では、許可されたランダムアクセスリソースの１つのセットのみが、エントリ内に含まれる場合、デバイスは、そのセットを直接使用し、複数のセットからあるセットを選択することを目標とする続くサブステップをスキップし得る。さらに、上記の種々の実施形態による、許可されたランダムアクセスリソースの「マッピングされていない」セットが存在する場合、デバイスは、「マッピングされていない」セットを直接使用することを選定し得る。
【００９０】
種々の実施形態では、依然として図１の動作１１２を参照すると、デバイスは、測定ＲＳに基づいて測定を実施し、選択されたＡＩＴエントリに対応するＳＳＩが、同期基準として使用される。いくつかの実施形態では、そのような測定は、例えば、測定ＲＳ構成がシステム情報内に含まれていた場合、すでに早期に開始されている。測定ＲＳに基づく測定結果が、取得される。許可されたランダムアクセスリソースのセットが、ランダムアクセスマッピングに基づいて、例えば、測定結果に基づいて選択される。また、「マッピングされていない」セットが、種々の実施形態に従って、本ステップにおいて選択され得ることに留意されたい。
【００９１】
言い換えると、デバイスは、ＳＳＩに基づいて、第１の同期および測定を実施し、これは、ＬＴＥにおけるＰＳＳ／ＳＳＳ／ＣＲＳに基づく第１の同期および測定と類似する。次いで、デバイスは、ＳＳＩ測定に基づいて、ＡＩＴ内のエントリの選択を実施し、これは、ＬＴＥにおけるＰＳＳ／ＳＳＳ／ＣＲＳに基づくセル選択（および選択されたセルに関する対応するシステム情報）と類似する。
【００９２】
しかしながら、種々の実施形態では、例えば、同期基準として選択されたＡＩＴエントリに対応するＳＳＩを使用する測定ＲＳ測定に基づくランダムアクセスマッピングが、ランダムアクセス構成において示される１つまたはそれを上回るセットから、許可されたランダムアクセスリソースのセットを選択するために使用される。
【００９３】
種々の実施形態では、測定ＲＳは、より高速な初期アクセスプロシージャを促進するために、Ｃ−ＡＩＴの直後に受信され得る。種々の実施形態では、測定ＲＳは、Ｃ−ＡＩＴと同時に、または部分的に同時に受信され得る。種々の実施形態では、測定ＲＳは、Ｃ−ＡＩＴの直前に受信され得る。種々の実施形態では、測定ＲＳは、Ｃ−ＡＩＴ伝送周期と等しい伝送周期とともに構成される。種々の実施形態では、測定ＲＳは、Ｃ−ＡＩＴ伝送周期よりもある整数倍短い、例えば、Ｃ−ＡＩＴ伝送周期よりも２、４、５、８、１０、または１６倍短い伝送周期とともに構成される。
【００９４】
図８は、デバイスが複数の同期されたＴＰを含む地理的エリア内にある実施例を図示する。いくつかの実施形態では、デバイスは、ＴＰのうちの少なくとも１つとの接続（例えば、ランダムアクセス）を確立しようとし得る。図８に図示される実施形態では、Ｎ個の異なるＴＰが、同一の同期信号のセットを伝送する。他の実施形態では、ＴＰのサブセットのみが、同期信号を伝送する。デバイスは、場合によっては軽微な個々の時間および／または周波数オフセットを用いて、相互に重ねられる異なるＴＰから同期信号を受信する。ＴＰ間同期、低モビリティ、および短い無線伝搬距離の十分に良好な組み合わせによって、デバイスは、多くの場合、単一のＴＰとデバイスとの間のリンク内にも存在する、マルチパスコンポーネントとしての複数の異なるＴＰから信号を感知するであろう。したがって、デバイスは、種々の実施形態では、受信された同期信号のみから同期して伝送するＴＰの数を確実に推論することができない。
【００９５】
Ｎ個のＴＰはまた、Ｎ個の異なる測定ＲＳを伝送する。いくつかの実施形態では、ＴＰのうちの１つまたはそれを上回るものは、それぞれ、複数の測定ＲＳを伝送する。いくつかの実施形態では、いくつかの測定ＲＳは、それぞれ、複数のＴＰによって伝送される。いくつかの実施形態では、いくつかのＴＰは、いずれの測定ＲＳも伝送しない。
【００９６】
種々の実施形態では、ＴＰの他のセットもまた、同期信号を同期して伝送する。いくつかの実施形態では、ＴＰのいくつかの他のセットの伝送は、（セット間で）相互に同期されないが、各セット内のみで相互に同期され、すなわち、ＴＰのいくつかの他のセットは、本実施例では、Ｎ個のＴＰと同期され得ない。
【００９７】
種々の実施形態では、ＴＰの他のセットもまた、同期信号を同期して伝送する。いくつかの実施形態では、ＴＰのいくつかの他のセットの伝送は、（セット間で）相互に同期されないが、各セット内のみで相互に同期され、すなわち、ＴＰのいくつかの他のセットは、本実施例では、Ｎ個のＴＰと同期され得ない。上記の種々の実施形態に説明されるように、デバイスは、いくつかの実施形態では、Ｎ個のＴＰまたはＮ個のＴＰのサブセットから伝送される同期信号に基づいて、同期基準を取得する。いくつかの実施形態では、デバイスは、同期されないＴＰの異なるセットに基づいて、複数の異なる同期基準を取得する。
【００９８】
同期基準、例えば、本実施形態では、Ｎ個のＴＰから取得された同期基準を使用して、デバイスは、上記の種々の実施形態に説明されるように、測定ＲＳに対して測定を実施し、測定結果を取得する。
【００９９】
ランダムアクセスマッピングに基づいて、デバイスは、上記の種々の実施形態に説明されるように、許可されたランダムアクセスリソースのセットを取得する。いくつかの実施形態では、許可されたランダムアクセスリソースのセットは、最も高いＲＳＲＰを伴う測定ＲＳに基づき得る。いくつかの実施形態では、デバイスは、セットからのランダムアクセスリソース上でランダムアクセス信号を伝送する。
【０１００】
いくつかの実施形態では、ＴＰは、全ての可能なランダムアクセスリソース、すなわち、その上でデバイスがランダムアクセス信号を伝送することが予期され得るランダムアクセスリソースに対してランダムアクセス信号検出を実施する。いくつかの実施形態では、ＴＰは、全ての可能なランダムアクセスリソースのサブセットに対してランダムアクセス信号検出を実施する。いくつかの実施形態では、ＴＰは、ＴＰとデバイスとの間の通信リンクの品質が十分であるように、測定結果に対応するランダムアクセスリソースに対してランダムアクセス信号検出を実施する。例えば、ＴＰは、ＴＰからの測定ＲＳに対する測定結果が最も高い場合にデバイスが選択する、許可されたランダムアクセスリソースのセットに対してランダムアクセス信号検出を実施し得る。上記の実施例および種々の実施形態では、これは、ＴＰ  ｎ’（図８参照）とデバイスとの間のリンクが、Ｎ個のリンク間で最良であることに対応し得るが、これは、他の実施形態では、他のリンクに対応し得る。
【０１０１】
いくつかの実施形態では、ＴＰは、測定結果が、ＴＰがデバイスとの通信のための多地点協調（ＣｏＭＰ）セット内に含まれるべき有望な候補であることを示す場合、デバイスが使用することを可能にされるであろうランダムアクセスリソースに対してランダムアクセス信号検出を実施する。ＴＰがＣｏＭＰのための有望な候補である実施形態の実施例は、限定ではないが、以下を含む。
・ＴＰとデバイスとの間のリンクの品質は、最良なリンクに近い。例えば、ＴＰからのＲＳＲＰは、温度最も高いＲＳＲＰからある範囲内にある。
・ＴＰとデバイスとの間のリンクの空間的性質は、これがＣｏＭＰセット内の他のＴＰと良好に適合するようにする。いくつかの実施形態では、ＣｏＭＰセット内のＴＰの全てまたはサブセット間のジョイントチャネル行列のランクまたは条件数は、高い。他の実施形態では、空間的相関は、ＣｏＭＰセット内の異なるＴＰのチャネルとデバイスとの間で低い。高ランクまたは条件数は、多入力多出力（ＭＩＭＯ）通信のために好ましくあり得る。低空間的相関は、多様性のために好ましくあり得、これは、信頼性を改良し得る。高ランクおよび低空間的相関は、基本的に関連することに留意されたい。
【０１０２】
いくつかの実施形態では、ＴＰは、ＴＰがあるサービスおよび／または性能要件をサポートする場合、そのようなサービスおよび／または性能要件に関してデバイスが選択することを可能にされるであろうランダムアクセスリソースに対してランダムアクセス信号検出を実施する。いくつかの実施形態では、ＴＰは、ＴＰがダウンリンク内のあるシステム情報を提供することが可能である、および／またはそのように割り当てられる場合、デバイスがそのようなシステム情報を要求するために使用するであろうランダムアクセスリソースに対してランダムアクセス信号検出を実施する。
【０１０３】
種々の実施形態では、ＴＰがランダムアクセスリソース上のランダムアクセス信号を検出すると、これ（および／または無線ネットワーク内の他のエンティティ）は、ランダムアクセスリソースが、デバイスによって選択される許可されたランダムアクセスリソースのセットに属していたと推論することができる。種々の実施形態では、ランダムアクセスマッピングに応じて、ＴＰ（および無線ネットワーク）はまた、例えば、測定結果、サービス要件、またはランダムアクセスマッピングにおいて考慮される他の側面についてさらなる推論を行うことができる。一実施形態では、ＴＰ（および無線ネットワーク）は、ＴＰによって伝送される測定ＲＳに関する測定結果が、同一の同期基準を使用する測定ＲＳに関する測定結果間で最も高いと推論することができる。
【０１０４】
言い換えると、ＴＰ（および無線ネットワーク）は、ランダムアクセス信号検出の直後にある知識を取得する。種々の最新技術の他の無線システムでは、本知識は、ランダムアクセス信号検出の直後に利用可能ではない場合があるが、はるかに後で、典型的には、最初に、ランダムアクセス信号が正常に受信されたことを応答し、続けて、デバイスからさらなる情報を受信した後で利用可能である。
【０１０５】
種々の実施形態では、他のスケジューリングされた伝送、すなわち、ランダムアクセス信号以外が、許可されたランダムアクセスリソースのセット上の伝送に関してスケジューリングされる。種々の実施形態では、スケジューリングされていない他の伝送も、許可されたランダムアクセスリソースのセット上で伝送される。そのようなスケジューリングされた、またはスケジューリングされていない伝送は、デバイスからのデータ、制御、および／または基準信号伝送、バックホール伝送、ならびにフロントホール伝送を含む。種々の実施形態では、そのような伝送は、許可されたランダムアクセスリソースのセットに対してランダムアクセス信号検出を実施するＴＰ以外のＴＰによって受信される（これは、受信、処理、検出、および／またはデコードされることを含み得る）。したがって、ランダムアクセスリソースは、ネットワーク内で再使用され、全体的効率を改良することができる。これは、時として、空間分割多元接続と呼ばれる。種々の実施形態では、そのような伝送は、許可されたランダムアクセスリソースのセットに対してランダムアクセス信号検出を実施する同一のＴＰによって受信される（これは、受信、処理、検出、および／またはデコードされることを含み得る）。これは、種々の形態の伝送の多重化、種々の実施形態では、例えば、コード多重化、複数の受信アンテナを使用する空間多重化等を使用することによって達成され得る。このように、ランダムアクセスリソースは、ネットワーク内でさらに再使用されることができる。
【０１０６】
種々の実施形態における方法のいくつかの利益が、以下に列挙される。例えば、
・検出遅延
ランダムアクセスリソースのより小さいセット上のランダムアクセス信号に関して検索することによって、ＴＰ電力消費が、低減される。さらに、複数のランダムアクセスリソースが時間において並行に存在する実施形態に関して、検出までの時間（遅延）は、並行リソースのサブセットのみが検索される必要がある場合、低減されることができる。
・高速ＣｏＭＰ設定
ＴＰがデバイスへの良好なリンクを有することを直ちに学習することによって、ＣｏＭＰ動作に関するＴＰセットが、直ちに設定されることができる。設定は、種々の実施形態では、バックホールリンク、リソース調整、セキュリティ等の設定を伴い得る。他の実施形態によるいくつかの最新技術システムでは、ＣｏＭＰセットは、個々のＴＰが検出されたランダムアクセス信号に対して測定を実施した直後に設定されることができ、集中ＣｏＭＰセット決定を実施するためのノードにおける結果の収集が続く、またはＴＰ間情報交換を伴う分散ＣｏＭＰセット決定が続く。これらのアプローチの両方が、さらなる時間遅延を伴い、これは、本開示における方法を使用することによって回避される。これは、待ち時間に感受性のあるサービスおよびアプリケーションが被る通信待ち時間を改良することができる。
高速ＣｏＭＰ設定の種々の実施形態では、測定結果（および対応する測定ＲＳ）と許可されたランダムアクセスリソースの１つまたはそれを上回るセットとの間のランダムアクセスマッピングは、続けて１つまたはそれを上回るランダムアクセス信号を検出する各ＴＰが、１つまたはそれを上回るランダムアクセス信号を送信したデバイスにサービス提供するために、これがＣｏＭＰ内に含まれるかどうかを直ちに学習し得るようにする。いくつかの実施形態では、これは、ＴＰにランダムアクセスリソースのより小さいセットを検索させることによって達成されることができ、より小さいセットからのランダムアクセスリソース上で伝送されるランダムアクセス信号は、デバイスにおける測定結果が、ＴＰがＣｏＭＰセット内に含まれるはずであるようなことを意味する。
・ランダムアクセス応答遅延
高速ＣｏＭＰ設定に関連する利益は、検出されたランダムアクセス信号の直後の迅速なランダムアクセス応答が可能なことである。ランダムアクセス応答は、検出されたランダムアクセス信号に応答して、ネットワークによって伝送され、例えば、種々の実施形態では、正常な受信およびさらなる情報を示す。低ランダムアクセス応答遅延は、いくつかの実施形態では、低い全体的通信遅延に関連する。
図８等に図示されるいくつかの実施形態では、異なるＴＰが、異なる測定ＲＳを伝送する。いくつかのそのような実施形態では、デバイスは、最も高い測定結果を伴う測定ＲＳを許可されたランダムアクセスリソースのセットにマッピングし、異なる測定ＲＳに対応するそのようなセットは、散逸する。いくつかの実施形態では、ＴＰは、次いで、これが伝送する測定ＲＳに対応する許可されたランダムアクセスリソースのセットを検索し得る。ランダムアクセス信号が検出される場合、ＴＰは、伝送するデバイスが最も高い結果、例えば、最も高いＲＳＲＰを伴うその測定ＲＳを測定したことを把握する。いくつかの実施形態では、最も高い測定結果を伴う測定ＲＳを伝送したＴＰがまた、ランダムアクセス応答を伝送することが好適である。１つの理由は、これが、ランダムアクセス応答がデバイスによって正常に受信される可能性を増加させ得るためであり得る。別の理由は、ランダムアクセス応答が、デバイスとの後続通信についての情報、例えば、構成情報を含有し、そのＴＰが、後続通信を実施するであろう可能性が高い、またはそれが好適であるためであり得る。後続通信がＣｏＭＰを伴うであろういくつかの実施形態では、最も高い測定結果を伴うＴＰは、ＣｏＭＰセット内のマスタの役割を有し、セット内の他のＴＰは、スレーブの役割を有する。
ＣｏＭＰならびにマスタおよびスレーブＴＰを伴ういくつかの実施形態では、マスタＴＰは、スレーブＴＰによって伝送される測定ＲＳに対する好ましい測定結果に対応する許可されたランダムアクセスリソースのセットを検索する。いくつかのそのような実施形態では、マスタＴＰはまた、スレーブＴＰからの測定ＲＳが最も高い測定結果を有していたにもかかわらず、ランダムアクセス応答を伝送する。いくつかの実施形態では、マスタＴＰは、それ自体が検出されたランダムアクセス信号に迅速に応答するかどうか、例えば、これが短い待ち時間サービスがランダムアクセスをトリガしたと推論するかどうか、またはこれが別の観点から効率的であるかどうか、もしくはＣｏＭＰを伴ういくつかの実施形態では、１つもしくはそれを上回るスレーブＴＰからの伝送がランダムアクセス応答のために使用されるかどうかを決定する。
・アイドルデバイスおよびページングのセルレスハンドオーバ
最新技術の他のセルラーシステムでは、アイドルデバイスが、近傍セルを追跡し（システム情報に同期する、それを測定および取得する等）、これらは、多くの場合、異なるＴＰによって伝送される。デバイスがアップリンクデータを送信する必要があるとき、これは、対応する同期基準および許可されたランダムアクセスリソースのセットを用いて、背景の節に従って、すなわち、好適なセル（および対応するＴＰ）に向かって指向されるランダムアクセスプロシージャを実施する。許可されたランダムアクセスリソースのセットは、好ましくは、セル特有システム情報から取得され、すなわち、アイドルデバイスが、異なるセル間のハンドオーバを自律的に実施することに留意されたい。アイドルデバイスにランダムアクセスを好適なセルに向かって直接指向させることの１つの目的は、これが要求されるランダムアクセス信号伝送電力の観点から効率的であり得ることである。多くの場合、異なる隣接するセルが、ランダムアクセスリソースに対する干渉を低減させるために、その許可されたランダムアクセスリソースのセットを調整する。いくつかの実施形態では、許可されたランダムアクセスリソースのセットは、直交（散逸）する。
本発明のいくつかの実施形態では、アイドルデバイスが、同期基準に基づいて、多くの場合、異なるＴＰによって伝送される複数の測定ＲＳを追跡する。デバイスがアップリンクデータを送信する必要があるとき、これは、本発明の種々の実施形態に従って、例えば、測定結果および許可されたランダムアクセスリソースのセットへのランダムアクセスマッピングに基づいて、ランダムアクセスプロシージャを実施する。適切なランダムアクセスマッピングを用いて、例えば、最も高いＲＳＲＰに基づいて、デバイスは、伝統的なセルの使用を伴わずに、上記の種々の実施形態に従って、ランダムアクセスを好適なＴＰまたはＴＰのセットに指向させる。セルの使用を回避することは、種々の実施形態では、低減された干渉および増加されたエネルギー効率の利益を提供する。本発明の種々の実施形態はまた、伝統的なセルが使用されるシステムまたは伝統的なセルがより少ない程度に使用される、例えば、単一のセルが複数のＴＰによってサービス提供されるより広いエリアを網羅するが、異なるそのようなより広いエリアが異なるセルによって網羅され得るシステムにおいて機能することに留意されたい。
本発明の種々の実施形態はまた、測定ベースのページングに適用される。種々の実施形態は、測定ベースのページング構成の概念を含むように本発明を拡張させる。概して、ページングでは、ネットワークは、ダウンリンクデータをアイドルデバイスに送信する必要がある。これは、ページングメッセージをデバイスにあるページングリソース上で送信することによって行われる。これは、アイドルデバイスが監視する必要があるリソースの量を抑える。本発明に対するページング拡張では、ページングマッピングが、導入される。これは、ランダムアクセスマッピングの種々の実施形態と類似および相似する。複数の測定ＲＳからの測定結果に基づいて、デバイスは、本願におけるページングマッピングを使用して、ページングリソースのセットを取得する。デバイスは、デバイスへのページングメッセージに関するページングリソースの全てまたはサブセットを監視する。測定ベースのページング構成は、ネットワーク内のよりフレキシブルなページング構成を可能にする。
【０１０７】
上記に提示される実施形態に対応する種々の実施形態は、ここでは、図８の実施形態に適用される。種々のそのような実施形態では、Ｎ個のＴＰのセットが、同一の同期信号ＳＳＩ  ｋを伝送する。ＴＰの他のセットは、異なるＳＳＩを伝送し得る。種々の実施形態では、同一のＳＳＩエリアを伝送するＴＰのセットは、地理的に密接に位置する。異なるＳＳＩの合計数は限定されるため、ネットワークは、典型的には、同一のＳＳＩを伝送するＴＰの複数のそのようなセットを含有しなければならない。種々の実施形態では、ＴＰの異なるそのようなセットが、異なる地理的エリアを網羅する。種々の実施形態では、異なるＳＳＩを伝送するＴＰのセットは、散逸しないが、ＴＰは、複数の異なるＳＳＩを伝送し得る。種々のそのような実施形態では、ＴＰが複数の異なるＳＳＩを伝送する場合、異なるＳＳＩは、例えば、ＡＩＴ内の対応するエントリ内に規定されるように、異なるサービスまたは他のパラメータに対応することができる。種々のそのような実施形態では、異なるＳＳＩが、例えば、ＡＩＴ内の対応するエントリ内に規定されるように、異なるサービスまたは他のパラメータに対応し得る場合、ＴＰはまた、単一のＳＳＩを伝送し得る。
【０１０８】
したがって、近傍デバイスは、ＡＩＴ内のｋ番目のエントリを選択し、これは、ランダムアクセス構成を含有する。ランダムアクセス構成は、上記に説明される種々の実施形態に従って、許可されたランダムアクセスリソースの１つまたはそれを上回るセットを含有する。さらに、Ｎ個のＴＰは、異なる測定ＲＳを伝送する。いくつかの実施形態では、異なるノードが、同一の測定ＲＳを伝送する。上記の種々の実施形態によるランダムアクセスマッピングに基づいて、デバイスは、許可されたランダムアクセスリソースのセットを選択する。上記の種々の実施形態に従って、許可されたランダムアクセスリソースの「マッピングされていない」セットが使用される場合、複数または全てのＮ個のＴＰは、そのセット上のランダムアクセス信号を検出しようとし得る。
【０１０９】
多くの場合、ランダムアクセスリソースの量を適合させることが可能なことが、有用である。ランダムアクセス試行の量に関連してランダムアクセスリソースが少なすぎる場合、失敗試行の比率は、高くなりすぎる場合がある。ランダムアクセス試行の量に関連してランダムアクセスリソースが多すぎる場合、他のアップリンク伝送が、ランダムアクセスリソース上で回避され得るため、リソースは、浪費され、低減されたシステム性能をもたらし得る。
【０１１０】
ＬＴＥ等の最新技術システムを含む種々のシステムでは、ランダムアクセスリソースの量は、適合されることができる。ＬＴＥ  ＵＥは、ＰＤＳＣＨ上で受信され得る、システム情報（ＳＩＢ２）を読み取ることによって、現在使用中であるランダムアクセスリソース、すなわち、許可されたランダムアクセスリソースのセットがどれか、およびその量を学習することができる。
【０１１１】
本開示に説明されるシステムおよび方法は、デバイスがシステム情報からランダムアクセスリソースの現在の構成を取得することを要求することなく、ランダムアクセスリソースの適合を可能にする。これは、図９および１０に図示される。
【０１１２】
図９（ａ）では、単一のＴＰが、本実施例において考慮される。図９（ａ）の実施例では、ＴＰは、測定ＲＳ１のみを伝送する。したがって、複数の測定ＲＳ（例えば、測定ＲＳ１−４）に対して測定を実施する任意の近傍デバイスが、測定ＲＳ１の結果が最も高いことを見出し、デバイスは、その結果、図１０（ａ）に示されるように、許可されたランダムアクセスリソースのセットＡを選択するであろう。一方、図９（ｂ）の実施例では、ＴＰは、等しい電力を伴う４つの異なる測定ＲＳを伝送する。したがって、複数の測定ＲＳに対して測定を実施する任意のデバイスが、例えば、異なる測定ＲＳによって使用される異なるリソース上の瞬間フェージング、付加雑音等に応じて、測定ＲＳ１、２、３、または４のうちの１つの結果が最も高いことを見出すであろう。したがって、図９（ｂ）の実施例におけるデバイスは、セットＡ、Ｂ、Ｃ、またはＤを選択するであろう。本スキームの結果として、図９（ａ）の実施例では、ＴＰは、それらのリソース上のランダムアクセス試行が予期されないため、セットＢ、Ｃ、およびＤのリソース上で他の伝送をスケジューリングし得る。一方、図９（ｂ）の実施例では、Ａ、Ｂ、Ｃ、およびＤ上のランダムアクセス試行が、予期されることができる。その結果、ランダムアクセスリソースはそれぞれ、測定ＲＳの伝送電力を調節することによって適宜適合され、ゼロ伝送電力は、（ＴＰカバレッジエリア内の）いかなるデバイスも許可されたランダムアクセスリソースの対応するセットを選択しないであろうことをもたらす。システム情報のいかなる更新または受信も、必要ではない。
【０１１３】
種々の実施形態では、ＴＰまたはセルは、測定ＲＳの伝送電力を適合させる。いくつかの実施形態では、いくつかの測定ＲＳの伝送電力は、ゼロに設定される。測定ＲＳ伝送電力を適合させることによって、ＴＰは、デバイス側における対応する測定結果をある程度制御することができる。例えば、伝送電力が、第１の測定ＲＳ上でゼロに設定され、完全な伝送電力が、第１の測定ＲＳの無線チャネルと高度に相関する無線チャネル上で伝送される、第２の測定ＲＳ上で使用される場合、第２の測定ＲＳの測定結果が、第１の測定ＲＳの測定結果よりも高い可能性が極めて高い。
【０１１４】
種々の実施形態では、ＴＰまたはセルは、低い、もしくはゼロ電力を用いて伝送された測定ＲＳの強力な測定結果に（ランダムアクセスマッピングにおいて）対応するランダムアクセスリソース上で、データ伝送等の非ランダムアクセス伝送をスケジューリングする。このように、ランダムアクセスリソースの量は、システム情報を更新する必要性なく、デバイスに変更されたシステム情報を通知する必要性なく、かつ全てのデバイスが更新されたシステム情報を受信するのを待機する必要性なく、迅速に適合されることができる。これは、リソースのよりフレキシブル、動的、かつ効率的な使用をもたらすことができる。
【０１１５】
いくつかの実施形態では、デバイスは、これが測定結果から許可されたランダムアクセスリソースのセットを取得し得るため、ランダムアクセスプロシージャを開始する前に任意のシステム情報を受信およびデコードするように要求されない。いくつかの実施形態では、デバイスは、許可されたランダムアクセスリソースのセットがまたシステム情報から抽出される最新技術の他のシステムと比較して、より少ない量のシステム情報を受信およびデコードした後にランダムアクセスプロシージャを開始し得る。いくつかの実施形態では全くない、減少された量の要求されるシステム情報は、ランダムアクセスプロシージャを開始する、例えば、ランダムアクセス信号を伝送するために使用され、より低い通信遅延をもたらし得る。本実施形態における遅延は、例えば、デバイスが同期を取得する時刻とデバイスがランダムアクセス信号を伝送する時刻との間であり得るが、他の遅延も、他の実施形態において使用される。
【０１１６】
種々の実施形態では、１つまたはそれを上回るＴＰが、ビーム形成を使用するために複数の伝送アンテナを使用し得る。伝送ビーム形成では、複数のアンテナは、ビームに沿って伝送されるエネルギーを集束させるために使用される。受信ビーム形成では、複数のアンテナは、ビームに沿って受信されるエネルギーを集束させるために使用される。伝送および受信ビーム形成によるエネルギーの集束の利益は、例えば、増加されたカバレッジおよび低減された干渉である。
【０１１７】
以降では、マルチアンテナＴＰからの複数のビームが、考慮されるが、実施形態はまた、複数のＴＰが複数のアンテナを合同で有し（すなわち、ＴＰのいくつかは、単一のアンテナを有し得る）、複数のＴＰが種々の実施形態において同期される場合にも適用される。ここでの実施形態は、マルチアンテナＴＰの文脈において説明される。しかしながら、実施形態はまた、マルチアンテナデバイス、リレー等を伴う場合にも適用されることができる。
【０１１８】
ビーム形成能力を伴うＴＰは、使用され得る可能なビームのセットを頻繁に有する。いくつかの実施形態では、時として、固定ビームまたはビームのグリッドと呼ばれる、可能なビームのより小さいセットが存在する。他の場合では、可能なビームのセットは、例えば、ビーム形成がデジタルベースバンド内でプリコーディングおよび／またはポストコーディング（等化、受信フィルタ処理、合成とも呼ばれる）によって適合され得るとき、非常に大きい。他の実施形態では、可能なビームのセットは、可能なＲＦビームのセット、すなわち、アナログハードウェア内で（例えば、位相偏移を通して）生成されたビームのセットおよび（例えば、デジタルプリコーディングまたはポストコーディングによる）可能なデジタルビームのセットの組み合わせである。複数の可能なビームを伴うシステムでは、セットからのどのビームが特定のデバイスに対して最も好適であるか、またはどのビームがデバイスの特定のセットに対して好適であるかを判定するために、固有の問題が存在し得る。
【０１１９】
以降ではデジタル受信ビーム形成と呼ばれる、ベースバンド内でのデジタル受信ポストコーディング（等化／フィルタ処理／合成）を用いた受信ビーム形成の実施形態に関して、ビーム選択は、通常、受信アンテナあたりチャネル推定に基づく。これは、チャネル推定が、受信ビーム形成されていない信号に基づくことを意味する。これは、多くの実施形態では問題ないが、他の実施形態では、これは、特に、受信された信号が弱い場合、不十分なチャネル推定品質をもたらす。代わりに、好適な受信側ビームが既知であろう場合、受信側は、受信側ビーム形成後に効果的な（より低次元の）チャネルを推定し得る。デジタル受信ビーム形成実施形態では、同一の受信された信号に対して多くの異なる受信ビーム形成フィルタを試行することが可能であることに留意されたい。
【０１２０】
アナログ（ＲＦ）受信ビーム形成（これは、いくつかの場合では、デジタル受信ビーム形成と合成される）のいくつかの実施形態では、ビーム形成は、デジタル受信ビーム形成等のように、受信後に選択または適合されることができない。代わりに、単一の受信ビーム形成のみが、これが時間とともに変化され得るにもかかわらず、各時刻において適用されることができる。したがって、アナログ受信ビーム形成を伴うシステムの種々の実施形態では、デバイスからの信号が受信される前に、特定のデバイスに対して好適な受信ビーム形成を把握することが、有用である。
【０１２１】
ベースバンド実施形態におけるアナログ（ＲＦ）ビーム形成およびデジタルプリコーディングの種々の組み合わせを含む伝送ビーム形成に関して、ビーム形成は、（１）デバイスからフィードバックされる情報から、または（２）デバイスから受信される信号から抽出される情報から選択され得る。これらの２つの方法実施形態は、以下に簡潔に説明される。
【０１２２】
ＲＳおよびフィードバック：ＴＰは、デバイスがどの伝送ビーム形成（または同等の情報）が好適であるかを識別するために使用するＲＳを伝送する。例えば、ＬＴＥのようにプリコーディングマトリクスインジケータ（ＰＭＩ）の形態における情報は、送信機にフィードバックされる。本方法は、アップリンクおよびダウンリンクチャネル間でより低い相関を有する、ＦＤＤシステムにおいてより一般的である。
【０１２３】
ＵＬベース：デバイスによって伝送され、ＴＰによって受信される１つまたはそれを上回る信号に基づいて、ＴＰは、どの伝送ビーム形成が好適であるかを推定することができる。本方法は、アップリンクおよびダウンリンクチャネル間でより高い相関を有する、ＴＤＤシステムにおいてより一般的である。
【０１２４】
別の実施形態は、上記に説明された、伝送および／または受信ビーム形成を使用するマルチアンテナＴＰを伴う従来の初期アクセスプロシージャを伴う実施形態への本開示の側面の適用を含む。同期、測定ＲＳ、およびシステム情報に関するビーム形成実施形態に関する付加的解説が、本開示の側面が適用される以下の実施形態に提示される。
【０１２５】
ＴＰは、同期、測定ＲＳ、およびシステム情報を伝送する。同期およびシステム情報は、全てのデバイス（ブロードキャスト伝送）を標的とするため、それらの信号の伝送は、特定のビームのみを使用することができず、これは、それがビームが適切ではない他のデバイスが、信号性質を受信することを妨げるであろうためである。代わりに、種々の実施形態では、例えば、単一のアンテナからのビーム形成を伴わない、またはＬＴＥにおけるＰＢＣＨのように、伝送多様性スキームを用いた、より等方性のエネルギー分散を伴う伝送が、使用されることができる。いくつかの実施形態では、信号は、複数の、例えば、全てのビーム上で、時間において同時または連続的に伝送されることができる。このように、カバレッジエリア内の全てのデバイスが、十分な品質を伴う信号を受信し得る可能性が、向上される。測定ＲＳ（ＬＴＥにおけるＣＳＩ−ＲＳ等）もまた、複数のデバイスを標的とし得る。しかしながら、通常、全ての測定ＲＳが、全てのそれらの着目デバイスにおいて高品質で受信される必要はない。代わりに、異なる測定ＲＳが、異なるビーム上で伝送され得る。その結果、いくつかの測定ＲＳは、特定のデバイスにおいて良好な品質（例えば、高ＲＳＲＰ）で受信される一方、他の測定ＲＳは、不良な品質（例えば、低ＲＳＲＰ）で受信される。
【０１２６】
続けて、デバイスは、同期を取得し、測定を実施し、システム情報を受信する。次いで、デバイスは、システム情報内の構成に従って、ランダムアクセス信号を伝送する。説明を簡易化するために、デバイスにおけるビーム形成は、ここでは議論されないが、本明細書に説明される本発明の種々の実施形態はまた、デバイスにおけるビーム形成にも適用されることを理解されたい。また、デバイスにおけるビーム形成は、ＴＰにおけるビーム形成を使用して、開示される発明の側面とともに使用され得る。ビーム形成は、ＴＰまたはデバイスのいずれかにおいて使用される必要はないが、両方においてもまた使用され得る。
【０１２７】
故に、ＴＰは、ランダムアクセス信号を受信および検出する。ランダムアクセスのランダム性に起因して、ＴＰは、あるランダムアクセスリソース上でランダムアクセス信号を伝送するデバイスを選定するか、およびその対応する好適な受信ビーム形成を事前に把握していない。したがって、本開示がない場合、ＴＰは、ランダムアクセス信号の受信中に好適なアナログ（ＲＦ）ビーム形成を意図的に適用することができない。一方、本開示のデジタル受信ビーム形成を用いて、ＴＰが、複数の異なる受信ビーム形成器を受信された信号に適用し、受信ビーム形成された信号のそれぞれに対して検出を実施することが、受信機複雑性を増加させるにしても、可能である。
【０１２８】
ＴＰは、ランダムアクセス応答に応答する。ランダムアクセス信号検出後、ＴＰは、デバイスに応答する。伝送ビーム形成がＵＬベース（上記参照）である場合、ＴＰは、種々の実施形態では、好適な伝送ビーム形成器を見出すために、受信されたランダムアクセス信号を使用し得る。しかしながら、高品質の欠如、例えば、直交、ランダムアクセス信号内のＲＳ、低い受信された信号エネルギー、または他の要因に起因して、ＴＰが、単一のランダムアクセス信号に基づいて、好適な伝送ビーム形成器を確実に算出することは、困難であり得る。伝送ビーム形成がＲＳおよびフィードバック（上記参照）に基づく場合、ＴＰは、そのようなフィードバックをまだ受信していない。典型的には、ＴＰは、検出されたランダムアクセス信号を伝送したデバイスの識別さえも把握していない。さらに、ＴＰがデバイスの識別を把握しているであろう場合であっても、ランダムアクセス試行は、典型的には、デバイス不応周期（アイドル状態のデバイス）によって先行され、これは、最後に受信されたフィードバックがもはや有効（正確）ではない場合があることを意味する。要約すれば、本開示がない場合、多くの場合、ＴＰが、好適な伝送ビーム形成をランダムアクセス応答に適用することは、困難であり得る。
【０１２９】
デバイスは、ランダムアクセス応答を受信する。ＴＰが、本開示に従って、好適な伝送ビーム形成をランダムアクセス応答に適用しない場合、デバイスは、ランダムアクセス応答を正常に受信およびデコードし得ない。これは、ＴＰのカバレッジを基本的に限定するであろうため、非常に深刻な欠点であり得る。ＴＰが、原理上、機能する伝送および受信ビーム形成を用いて遠隔のデバイスと通信し得る場合であっても、初期アクセスプロシージャが、正常に完了され得ないため、これは、実践では可能ではない。本発明は、ランダムアクセスリソースの選択を通して、異なるビーム上に伝送されるＲＳのデバイスにおける測定結果のＴＰ性質を示すことによって、本問題に対処し、これを解決する。
【０１３０】
上記の種々の実施形態は、マルチビームＴＰに適用される。いくつかの実施形態では、ＴＰは、複数のアンテナおよびマルチビーム能力を有する。いくつかの実施形態では、複数のＴＰは、複数のアンテナおよびマルチビーム能力を合同で有する。マルチビーム能力は、複数の伝送ならびに／または受信ビーム形成器が選択および適用され得ることを意味する。以下の実施形態は、マルチビームＴＰの文脈において説明されるが、マルチビーム能力を有する複数のＴＰを伴う場合にも等しく適用可能である。
【０１３１】
種々の実施形態では、異なる測定ＲＳが、異なるビーム上で伝送され得る。いくつかの実施形態では、いくつかの異なる測定ＲＳは、同一のビーム上で伝送される。いくつかの実施形態では、ＴＰによって伝送される測定ＲＳは、ビームのセットがＴＰカバレッジエリアを広く網羅するように、ビームのセット上で伝送される。代替として記載すると、例えば、ビーム形成を使用して、その中でデバイスがＴＰと通信し得る地理的エリアもまた、ＴＰからのビームのセット上で伝送される測定ＲＳによって網羅される。いくつかの実施形態では、ビームのセット上で伝送される測定ＲＳは、同時に伝送される。いくつかの実施形態では、それらの測定ＲＳのいくつかは、異なる時間周期内に伝送される、すなわち、それらは、時間多重化される。これは、種々の実施形態では、測定ＲＳ伝送の文脈において、伝送ビームが時間多重化されることを意味し得る。概して、本開示に先に説明される測定ＲＳの種々の性質および実施形態はまた、マルチビーム初期アクセスの文脈における測定ＲＳにも適用され得る。
【０１３２】
本発明の種々の実施形態に従って、デバイスが、測定ＲＳに対して測定を実施する。ランダムアクセスマッピングを使用して、デバイスは、許可されたランダムアクセスリソースのセットを選択する。本セットから、デバイスは、その上でこれがランダムアクセス信号を伝送するランダムアクセスリソースを選択する。ＴＰは、ランダムアクセスリソース上のランダムアクセス信号を検出する。
【０１３３】
好適なランダムアクセスマッピングを用いて、ＴＰ（および／またはネットワーク）は、上記の種々の実施形態にもまた説明されるように、デバイスが選択したランダムアクセスリソースに基づいて、デバイス測定結果の種々の性質を推論することができる。例えば、最も高い測定されたＲＳＲＰが、他のセットから散逸する許可されたランダムアクセスリソースのセットを選択する場合、ＴＰは、ランダムアクセス信号が検出されたランダムアクセスリソースに基づいて、どの測定ＲＳが最も高いＲＳＲＰを有していたかを推論することができる。マルチビーム初期アクセスの文脈では、ＴＰは、測定ＲＳのために使用される複数のビームに対応する測定結果の性質を推論することができる。いくつかの実施形態では、ＴＰは、複数のビームのどれが最も高いＲＳＲＰとともに測定されたかを推論することができる。図１１に示されるように、ＴＰは、ランダムアクセスリソースＢにおけるランダムアクセス信号を検出し、次いで、デバイスが、最も高いＲＳＲＰを伴う、測定ＲＳ２を搬送した第２のビームを測定したと推論することができる。
【０１３４】
種々の実施形態では、同期信号は、図８と同様に、異なる測定ＲＳを伝送する伝送ビームのそれぞれの上で伝送される。これは、同期基準が測定に先立って利用可能である機会を向上するであろう。種々の実施形態では、同期信号は、異なる測定ＲＳを伝送する伝送ビームのそれぞれの上で伝送されない。代わりに、同期信号は、いくつかの実施形態では、それらのビームのサブセット上で、またはいくつかの実施形態では、他のビーム上で、もしくはいくつかの実施形態では、それらの組み合わせの上で伝送される。いくつかの実施形態では、同期信号は、いくつかの実施形態では、さらに等方性または略等方性である、広い主ローブを伴う伝送ビーム上で伝送される一方、測定ＲＳは、より狭い主ローブを伴う伝送ビーム上で伝送される。いくつかの実施形態では、同期信号は、単一のアンテナから伝送される一方、測定ＲＳは、ビーム形成を使用して複数のアンテナから伝送される。
【０１３５】
以下では、好適な受信ビーム形成および好適な伝送ビーム形成または伝送ビームという用語が、使用される。したがって、それらは、最初に、明瞭化される。好適な受信ビーム形成は、例えば、線形、非線形、反復等の受信機構造を伴う受信機内の種々の段階において、例えば、ＳＩＮＲ、ＳＮＲ、ＳＩＲ、ビットエラー率（ＢＥＲ）、ブロックエラー率（ＢＬＥＲ）、または他の測度の観点から最適もしくは近最適である。伝送ビーム形成は、好適な受信ビーム形成と同一の測度を使用するデバイスに対して好適であると見なされ得る。しかしながら、伝送ビーム形成の好適性はさらに、同一の測度を使用して、複数のデバイスを考慮し得る。例えば、好適な伝送ビーム形成は、いくつかのデバイス間の平均ＳＩＮＲの観点から、またはいくつかのデバイス間の最小ＳＩＮＲの観点から最適であり得る。いくつかの実施形態では、いくつかの好適な受信または伝送ビーム（ビーム形成）が存在し得る。そのような実施形態では、測度（上記のようなＳＩＮＲ等）がある閾値を上回る各ビームは、好適であると見なされ得、それによって、その閾値は、種々の実施形態では、絶対的である、または（最も好適なビームの）最も高い測度に関連し得る。
【０１３６】
種々の実施形態では、ＴＰは、ランダムアクセス信号検出の効率および／または性能を改良するために、ランダムアクセスマッピング性質を使用することができる。その理由は、測定結果が、測定結果からランダムアクセスリソースへのランダムアクセスマッピングに起因して、あるランダムアクセスリソースを使用する任意のデバイスに関するある性質を有するためである。これらの測定結果性質は、どのように伝送ビームがデバイスにおいて受信されるか、および対応する測定結果に対応する。いくつかの実施形態では、ランダムアクセスリソースは、ある伝送ビーム上で伝送されたある測定ＲＳ上で最も高いＲＳＲＰを測定したデバイスのみによって使用される。種々の実施形態では、あるデバイスに対して好適である、受信ビーム形成の性質（例えば、統計的性質、着信方向または主ローブ等の角度性質等）またはさらには明示的な受信ビーム形成の性質（例えば、受信機ベクトル、行列、フィルタ係数、位相偏移、振幅等）が、好適である伝送ビームから推論されることができる。どの伝送ビームが好適であるかの判定は、異なる伝送ビームに関する測定結果に直接関連し得る。いくつかの実施形態では、デバイスが最も高いＲＳＲＰを測定した伝送ビームは、好適な伝送ビームである。いくつかの実施形態では、受信ビーム形成器の主ローブの角度方向、例えば、方位角は、推論された好適な伝送ビーム、例えば、最も高いＲＳＲＰを伴う伝送ビームの角度方向と一致するように選択される。好適な伝送ビーム形成の意味の他の実施形態は、上記に議論される。したがって、種々の実施形態では、ＴＰは、どの受信ビーム形成があるランダムアクセスリソースにおいて好適であるかを推論することができる。あるランダムアクセスリソースが、ある伝送ビーム上で最も高いＲＳＲＰを測定したデバイスのみによって使用される実施例では、ＴＰは、したがって、ある受信ビーム形成がそのようなデバイスに対して好適であると推論することができる。他の実施形態では、ＴＰは、受信ビーム形成のあるセットもしくは範囲が好適である、または受信ビーム形成のある性質が好適であると推論することができる。そのような推論は、種々の実施形態では、デバイスがランダムアクセスリソース上でランダムアクセス信号を伝送する前であっても成され得ることに留意されたい。さらに、種々の実施形態では、特に、ＦＤＤシステムでは、好適な受信ビーム形成は、好適である伝送ビームから確実に推論され得ないことに留意されたい。
【０１３７】
デジタル受信ビーム形成を伴う種々の実施形態では、ＴＰが（同一の受信された信号に対して）ランダムアクセス信号検出を連続的に、または並行して実施するために、複数の異なるデジタル受信ビーム形成を使用し得る場合、ＴＰは、上記に説明される好適な受信ビーム形成に対する推論に基づいて、デジタル受信ビーム形成器の低減されたセットのみを使用することを選定し得る。いくつかの実施形態では、ＴＰは、単一のデジタル受信ビーム形成のみを使用することを選定し得る。デジタル受信ビーム形成器の低減されたセットまたはさらには単一のデジタル受信ビーム形成器を選定する利益は、低減された複雑性を含み、したがって、また、削減されたコストおよびエネルギー消費を含む。いくつかの実施形態では、さらなる利益は、例えば、異なるデジタル受信ビーム形成器を用いた検出が連続的に実施されるとき、低減された検出時間である。上記の低減は、初期アクセスを試行しようとするデバイスに対してどの受信ビーム形成が好適であるかについてのいずれの事前知識も伴わずに、ＴＰにアクセスすることが可能であるはずの任意のデバイスを網羅するように要求されるデジタル受信ビーム形成器の全セットに関連することに留意されたい。さらに、本開示の種々の実施形態は、これがメモリ内に記憶されるデジタル信号に対する後処理動作であるため、可能である複数の異なるデジタル受信ビーム形成を含むことに留意されたい。
【０１３８】
アナログ（ＲＦ）受信ビーム形成を伴う種々の実施形態では、受信機ハードウェアの単一のセットが存在し、アナログ受信ビーム形成が実際のアナログ信号に対するリあるタイム動作であるため、ＴＰは、同一の受信された信号上で複数の異なるアナログ受信ビーム形成を使用しない場合がある。代わりに、所与の時刻において、単一のアナログ受信ビーム形成構成のみが、本実施形態では、可能である。そのような構成は、種々の実施形態では、異なる受信アンテナまたは受信アンテナの群の組み合わせにおける相対的位相偏移および対応する増幅定数によって与えられることができる。種々の実施形態では、アナログ受信ビーム形成を動的に、すなわち、「オンザフライ」で再構成することが、可能である。種々の実施形態では、本発明は、ＴＰがランダムアクセス信号を検出し得るカバレッジを改良するために役立つことができる。本発明を使用しないと、ランダムアクセス信号検出は、カバレッジボトルネックになり得る。デジタル受信ビーム形成に関する推論に続けて、ＴＰは、あるランダムアクセスリソースに対して好適な受信ビーム形成器を推論することができる。したがって、適切なランダムアクセスマッピングを使用することによって、いくつかの実施形態では、類似する好適な受信ビーム形成、または（ハイブリッドビーム形成等を伴う）いくつかの実施形態では、類似する好適なアナログ受信ビーム形成を有する可能性が高いデバイスに、時間において完全または部分的に重複する許可されたランダムアクセスリソースのセットを選択させる。したがって、ＴＰは、ある時間周期内に、その時間周期内にランダムアクセスリソースを選定し、それにおいてランダムアクセス信号を伝送するデバイスに対して好適である可能性が高い、いくつかの実施形態では、対応する受信ビーム形成、またはいくつかの実施形態では、対応するアナログ受信ビーム形成を選定し得る。
【０１３９】
上記の改良されたランダムアクセス信号検出についての推論に続いて、本開示の側面はまた、改良されるべきランダムアクセス応答の通信効率を提供する。本実施形態によると、その上でランダムアクセス信号が検出されたランダムアクセスリソースから、ＴＰは、ランダムアクセス信号を伝送したデバイスにおいて、異なる伝送ビーム上で伝送された測定ＲＳ上の測定結果のある性質を推論することができる。一実施形態によると、ランダムアクセス信号が、あるランダムアクセスリソース上で検出された場合、ＴＰは、測定されたＲＳＲＰがある伝送ビーム上で最も高かったと推論することができる。したがって、ランダムアクセス応答に対して好適な伝送ビーム形成が、見出されることができる。例えば、最も高いＲＳＲＰをもたらした伝送ビーム形成は、ランダムアクセス応答のためにもまた使用されることができる。他の実施形態では、最も高いＲＳＲＰを伴うビームと類似する伝送ビーム形成が、使用される（類似性は、例えば、高い内積大きさ、類似する主ローブ角度等である）。ハイブリッドビーム形成を伴うシステムでは、例えば、アナログ伝送ビーム形成は、デバイスにおける測定の時間とランダムアクセス応答伝送の時間との間で変化した可能性がある。したがって、本発明の適用を伴わないと、可能なデジタルビーム形成器のセットが限定される場合、全く同一の伝送ビーム形成を使用することは、可能ではない場合がある。
【０１４０】
本発明に説明される方法およびシステムを使用することによって、ランダムアクセス応答の通信効率は、大幅に改良されることができる。種々の実施形態では、好適な伝送ビーム形成が選択され得るため、ランダムアクセス応答のカバレッジは、有意に改良されることができる。ランダムアクセス信号自体（またはデバイスによって伝送される他の基準信号）が種々のＦＤＤシステム等において好適な伝送ビーム形成を推論するために使用され得ない場合であっても、ＴＰは、種々の実施形態では、ランダムアクセス応答に対して好適な伝送ビーム形成を選択することができる。そのような実施形態では、ＴＰは、どの伝送ビーム形成が好適であるかを学習するために、ＲＳ測定およびデバイスからのフィードバックに依拠する。しかしながら、初期アクセスの場合では、デバイスは、提示される開示によって提供される側面がない場合、任意のそのような情報をフィードバックする機会をまだ有していない。代わりに、開示される発明は、ＴＰの利点に、明示的なフィードバックの必要性なく、デバイスに対して好適な伝送ビーム形成を選択する手段を提供する。ＴＰは、検出されたランダムアクセス信号によって使用されたランダムアクセスリソースおよび対応するランダムアクセスマッピングによって、好適な伝送ビーム形成を推論し得る。
【０１４１】
種々の実施形態では、他のスケジューリングされた伝送、すなわち、ランダムアクセス信号以外が、許可されたランダムアクセスリソースのセット上の伝送に関してスケジューリングされる。種々の実施形態では、スケジューリングされていない他の伝送も、許可されたランダムアクセスリソースのセット上で伝送される。そのようなスケジューリングされた、またはスケジューリングされていない伝送は、デバイスからのデータ、制御、および／または基準信号伝送、バックホール伝送、ならびにフロントホール伝送を含む。種々の実施形態では、そのような伝送は、許可されたランダムアクセスリソースのセットに対してランダムアクセス信号検出を実施する同一のＴＰによって受信される（これは、受信、処理、検出、および／またはデコードされることを含み得る）。例えば、ＴＰは、「ビーム１」を使用して、ランダムアクセスリソースＡに対してランダムアクセス信号検出を実施する。「ビームＸ」がビーム１に直交または略直交する場合、ＴＰにおいて受信された信号がビームＸと整合される別の伝送は、ビーム１を使用するランダムアクセス信号検出への干渉を全くまたは殆どもたらさないであろう。このように、ランダムアクセスリソースは、ＴＰによってネットワーク内で再使用され、全体的効率を改良することができる。
【０１４２】
上記に提示される種々の実施形態は、ここでは、マルチアンテナＴＰ（例えば、図１１）に関する実施形態に適用される。種々のそのような実施形態では、マルチアンテナＴＰは、例えば、種々の実施形態では、上記に議論されるように、無指向性ビームを使用して、またはビームの大きいセットを同時に使用して、同期信号ＳＳＩ  ｋを伝送する。したがって、近傍デバイスは、ＡＩＴ内のｋ番目のエントリを選択し、これは、ランダムアクセス構成を含有する。ランダムアクセス構成は、上記に説明される種々の実施形態に従って、許可されたランダムアクセスリソースの１つまたはそれを上回るセットを含有する。さらに、ＴＰは、上記の種々の実施形態に提案されるように、異なるビームを使用して、複数の異なる測定ＲＳを伝送する。上記の種々の実施形態によるランダムアクセスマッピングに基づいて、デバイスは、許可されたランダムアクセスリソースのセットを選択する。
【０１４３】
上記の種々の実施形態に従って、許可されたランダムアクセスリソースの「マッピングされていない」セットが使用される場合、ＴＰは、無指向性ビームまたは複数の異なるビームを使用して、そのセット上のランダムアクセス信号を検出しようとし得る。
【０１４４】
本発明の１つまたはそれを上回る実施形態が上記に説明されたが、それらは、限定としてではなく、実施例としてのみ提供されたことを理解されたい。同様に、種々の図または図表は、本開示に関する例示的構造的もしくは他の構成を描写し得、これは、本開示内に含まれ得る特徴および機能性を理解する際に補助するために行われる。本開示は、例証される例示的アーキテクチャまたは構成に制限されず、種々の代替アーキテクチャおよび構成を使用して実装されることができる。
【０１４５】
本明細書に説明される機能は、開放型システム間相互接続（ＯＳＩ）モデルレイヤの文脈において説明されているが、当業者は、本明細書に説明される機能が、ＵＥにおいて、デバイスにおいて、ＴＰにおいて、または対応する基地局機能の場合には基地局において含有される１つもしくはそれを上回るプロセッサによって実施され得ることを認識するであろう。したがって、本文書に説明される機能のうちの１つまたはそれを上回るものは、適切に構成されたプロセッサによって実施され得る。種々の実施形態によると、プロセッサは、単一の集積回路（ＩＣ）として、または複数の通信可能に結合されたＩＣおよび／もしくは離散回路として実装され得る。プロセッサは、種々の公知の技術に従って実装され得ることを理解されたい。一実施形態では、プロセッサは、例えば、関連付けられるメモリ内に記憶される命令を実行することによって、本明細書に説明される１つまたはそれを上回る機能もしくはプロセスを実施するように構成可能である、１つまたはそれを上回る回路もしくはユニットを含む。他の実施形態では、プロセッサは、本明細書に説明される１つまたはそれを上回る機能もしくはプロセスを実施するように構成される、ファームウェア（例えば、離散論理コンポーネント）として実装され得る。例えば、種々の実施形態によると、プロセッサは、本明細書に説明される機能を実施するために、１つまたはそれを上回るコントローラ、マイクロプロセッサ、マイクロコントローラ、特定用途向け集積回路（ＡＳＩＣ）、デジタル信号プロセッサ、プログラマブル論理デバイス、フィールドプログラマブルゲートアレイ、またはこれらのデバイスもしくは構造の任意の組み合わせ、もしくは他の公知のデバイスおよび構造を含み得る。
【０１４６】
加えて、本文書に説明される機能のうちの１つまたはそれを上回るものは、本明細書では、概して、メモリ記憶デバイスまたは記憶ユニット等の媒体を指すように使用される、「コンピュータプログラム製品」、「コンピュータ可読媒体」、および同等物内に記憶される、コンピュータプログラムコードを用いて実施され得る。コンピュータ可読媒体のこれらおよび他の形態は、プロセッサに規定された動作を実施させるためのプロセッサによる使用のための１つまたはそれを上回る命令を記憶する際に関与し得る。概して、「コンピュータプログラムコード」（これは、コンピュータプログラムまたは他の分類の形態においてグループ分けされ得る）と称される、そのような命令は、実行されると、コンピューティングシステムが所望の動作を実施することを可能にする。
【０１４７】
明確化を目的として、上記の説明は、異なる機能レイヤまたはモジュールに関して本発明の実施形態を説明したことを理解されたい。しかしながら、異なる機能ユニット、プロセッサ、またはドメイン間の機能性の任意の好適な分散が、本発明から逸脱することなく使用され得ることが明白となるであろう。例えば、別個のユニット、プロセッサ、またはコントローラによって実施されるように例証される機能性は、同一のユニット、プロセッサ、またはコントローラによって実施され得る。したがって、具体的機能ユニットへの言及は、厳密な論理または物理構造もしくは編成を示すのではなく、説明される機能性を提供するための好適な手段への言及としてしか見なされない。
【０１４８】
加えて、本発明は、種々の例示的実施形態および実装の観点から上記に説明されているが、個々の実施形態のうちの１つまたはそれを上回るものにおいて説明される種々の特徴および機能性は、それらの可用性において、それらが説明される特定の実施形態に限定されず、代わりに、単独で、またはある組み合わせにおいて、本発明の他の実施形態のうちの１つもしくはそれを上回るものに、そのような実施形態が説明されるかどうかにかかわらず、かつそのような特徴が説明される実施形態の一部であると提示されるかどうかにかかわらず、適用され得ることを理解されたい。したがって、本発明の範疇および範囲は、上記に説明される例示的実施形態のいずれかによって限定されるべきではく、代わりに、請求項の平易でありかつ通常の意味に相応する範囲を与えられるべきである。
【図１】
0006785306.tif 000002
【図２】
0006785306.tif 000003
【図３】
0006785306.tif 000004
【図４】
0006785306.tif 000005
【図５】
0006785306.tif 000006
【図６】
0006785306.tif 000007
【図７】
0006785306.tif 000008
【図８】
0006785306.tif 000009
【図９】
0006785306.tif 000010
【図１０】
0006785306.tif 000011
【図１１】
0006785306.tif 000012